(57)【要約】第１フィルタ（４８、３４８、６４８、９０８）と第２フィルタ（５０、３５０、６５０、９１０）は、１つのハウジング（４２）中で結合され、２つのエレメントは結合されて１つのエレメント（４６）となる。第１および第２フィルタは流体的に隔離されている。第１フィルタは半径方向流れに対して配置されており、第２フィルタは軸方向流れに対して配置されている。フィルタ構成物は、頂部から装着する構成物あるいは別の実施例において底部から装着する構成物であり得る。この組合せは、ポンプ（１４）の上流フィルタとポンプ（１４）の下流フィルタとを有するいかなるシステムでも使用可能である。説明された実施例は、燃料システムである。整備点検の方法は、第１および第２フィルタの両方と一緒にハウジングカバーを同時に取り外す工程を含んでいる。
2009525168.tif 000002
【特許請求の範囲】
【請求項１】
フィルタエレメント（４６、４６'、３４６、６４６、９０６）であって、
（ａ）開いているフィルタ内部を定める管状形状部を有する第１フィルタ媒体を持った第１媒体構造物（４８、３４８、６４８、９０８）であって、前記第１フィルタ媒体を通過する半径方向の流体流れのために配置されている、前記第１媒体構造物と、
（ｂ）前記第１媒体構造物と軸方向に一直線に並んで配置されている第２媒体構造物（５０、３５０、６５０、９１０）であって、軸方向流れのために配置された第２フィルタ媒体を有する前記第２媒体構造物と、
を有し、
（i）前記第１媒体構造物と前記第２媒体構造物とは、互いに流体的に隔離されていることを特徴とするフィルタエレメント。
【請求項２】
（ａ）前記第１媒体構造物と前記第２媒体構造物との間に軸方向に端部キャップ構造物（１５２、４５２、７５２）を更に有することを特徴とする請求項１に記載のフィルタエレメント。
【請求項３】
（ａ）前記第１フィルタ媒体を取り囲んで支持する外側ライナー（１４２、４４２、７４２）を更に有することを特徴とする請求項１または請求項２に記載のフィルタエレメント。
【請求項４】
（ａ）前記第１フィルタ媒体はひだ付き媒体を含むことを特徴とする請求項１乃至請求項３のいずれか１項に記載のフィルタエレメント。
【請求項５】
（ａ）前記第１フィルタ媒体および前記第２フィルタ媒体を取り囲むシール部材（１８２、４８２、４８７、７８２、７８７）を更に有することを特徴とする請求項１に記載のフィルタエレメント。
【請求項６】
（ａ）前記シール部材は軸方向を圧縮するために配置されていることを特徴とする請求項５に記載のフィルタエレメント。
【請求項７】
（ａ）前記第１媒体構造物と前記第２媒体構造物の間で軸方向に端部キャップ構造物（１５２、４５２、７５２）を更に有することを特徴とする請求項５または請求項６に記載のフィルタエレメント。
【請求項８】
（ａ）前記端部キャップ構造物（４５２、７５２）は、１組のシール部材を保持する外側バンド（４８４）を含むことを特徴とする請求項７に記載のフィルタエレメント。
【請求項９】
（ａ）前記端部キャップ構造物（１５２、４５２、７５２）は入口構成物（２０２、５００、８００）と出口構成物（２０４、５０４、８０４）とを定めることを特徴とする請求項２に記載のフィルタエレメント。
【請求項１０】
（ａ）前記端部キャップ構造物の前記入口構成物と出口構成物とは、前記端部キャップ構造物によって定められる複数の開口を有することを特徴とする請求項９に記載のフィルタエレメント。
【請求項１１】
（ａ）前記第２フィルタ媒体によって取り囲まれた芯構造物（１６２、４６２、７６２）を更に有し、前記芯構造物は少なくとも１つの流体を運ぶ含む管状部材（１６４、４６４、７６４）を含むことを特徴とする請求項１に記載のフィルタエレメント。
【請求項１２】
（ａ）前記第１媒体構造物と前記第２媒体構造物との間で軸方向に端部キャップ構造物（１５２、４５２、７５２）を更に有し、
（i）前記端部キャップ構造物は、前記芯構造物の少なくとも１つの流体を運ぶ管状部材（１６４、４６４、７６４）を収容する少なくとも１つのホール（２０２、５００、８００）を定め、
（ii）端部キャップ構造物は、前記第２媒体構造物によってろ過された流体を運ぶために少なくとも１つの出口ホール（２０４、５０４、８０４）を定めることを特徴とする請求項１１に記載のフィルタエレメント。
【請求項１３】
（ａ）前記芯構造物はボルトを受け入れる管状部材（１７２、４７２、７７２）を含むことを特徴とする請求項１２に記載のフィルタエレメント。
【請求項１４】
（ａ）前記端部キャップ構造物中の前記少なくとも１つの出口ホールは、平らな表面から突き出ている管（２０６、５０６、８０６）によって定められており、前記管は、シール部材（２０８、５０８、８０８）によって保持されかつ取り囲まれていることを特徴とする請求項１３に記載のフィルタエレメント。
【請求項１５】
（ａ）前記芯構造物（４６２、７６２）は、（i）少なくとも１つの流体を運ぶ管状部材および（ii）ボルトを受け入れる管状部材と連絡している開口を有する突き出したネック（４６６、７６６）を含み、
（i）前記ネックは、第１シール部材と第２シール部材とによって保持されて取り囲まれており、
（ii）前記ネックは、前記端部キャップ構造物のホール中に受け入れられており、前記ネックの前記第１シール部材は、前記端部キャップ構造物のホールの周辺で前記端部キャップ構造物とシールを形成し、
（iii）前記ネックの第２シール部材は、前記フィルタエレメントが前記フィルタハウジング中で操作可能に設置された場合に前記フィルタハウジングとシールを形成することを特徴とする請求項１３に記載のフィルタエレメント。
【請求項１６】
（ａ）前記芯構造物は、前記突き出したネックの軸方向部分から突き出しているプラグ部材（８５４）を更に含み、前記プラグ部材はシール部材（８５８）によって取り囲まれていることを特徴とする請求項１５に記載のフィルタエレメント。
【請求項１７】
（ａ）前記端部キャップ構造物（７５２）と対向する端部で前記第１媒体構造物に固定され、そこから軸方向に突き出る第１プラグ部材（８６０）を含む下部端部キャップ（７４８）を更に含むことを特徴とする請求項１２乃至請求項１６のいずれか１項に記載のフィルタエレメント。
【請求項１８】
（ａ）前記第１媒体構造物と前記第２媒体構造物とは、断面がそれぞれ非円形であることを特徴とする請求項１乃至請求項１７のいずれか１項に記載のフィルタエレメント。
【請求項１９】
（ａ）前記第１媒体構造物と前記第２媒体構造物とは、断面がそれぞれ丸くないことを特徴とする請求項１乃至請求項１８のいずれか１項に記載のフィルタエレメント。
【請求項２０】
フィルタ構成物（４０、４０'、３４０、６４０、９００）であって、
請求項１に記載のフィルタエレメントと、
（ａ）内部を定めるハウジング（４２、４２'、３４２、６４２、９０２）であって、前記フィルタエレメントが前記ハウジングの内部に取り外し可能に配置されている、前記ハウジングと、
（ｂ）前記フィルタエレメントに選択的なアクセスを提供するために前記ハウジング上に取り外し可能に配置されたカバー（４４、４４'、３４４、６４４、９０４）と、
を有することを特徴とするフィルタ構成物。
【請求項２１】
（ａ）前記ハウジングは、第１入口構成物（１２０、４２０、７２０）と、第１出口構成物（１２２、４２２、７２２）と、第２入口構成物（１２６、４２６、７２６）と、第２出口構成物（１３０、４３０、７３０）とを定め、
（i）前記第１入口構成物は、前記第１フィルタ媒体の上流側と流体流れで連絡しており、
（ii）前記第１出口構成物は、前記第１フィルタ媒体の下流側と流体流れで連絡しており、
（iii）前記第２入口構成物は、前記第２フィルタ媒体の上流側と流体流れで連絡しており、
（iv）前記第２出口構成物は、前記第２フィルタ媒体の下流側と流体流れで連絡していることを特徴とする請求項２０に記載のフィルタ構成物。
【請求項２２】
（ａ）前記ハウジングは、前記第１フィルタ媒体の上流側と液体連絡する排水構成物（６２、３６２）を更に定めることを特徴とする請求項２１に記載のフィルタ構成物。
【請求項２３】
（ａ）前記カバーは、前記カバーの内部に延びているボルトヘッド（１０６、４０６、７０６）を有し、前記ボルトは、前記ハウジングによって定められたネジ受け（１０４、４０４、７０４）によって受け入れられていることを特徴とする請求項２０乃至請求項２２のいずれか１項に記載のフィルタ構成物。
【請求項２４】
（ａ）前記ボルトは、前記カバーの外部からアクセス可能なボルトヘッド（１１０、４１０）を有し、
（ｂ）前記ボルトは、前記第２媒体構造物を通って前記ハウジング中のネジ受けまで延びていることを特徴とする請求項２３に記載のフィルタ構成物。
【請求項２５】
（ａ）前記フィルタエレメントは、前記第２フィルタ媒体によって取り囲まれた芯構造物（１６２、４６２、７６２）を含み、前記芯構造物は、前記第２入口構成物と流体連絡する少なくとも１つの流体を運ぶ管状部材（１６４、４６４、７６４）を含むことを特徴とする請求項２０乃至請求項２４のいずれか１項に記載のフィルタ構成物。
【請求項２６】
（ａ）前記フィルタエレメントは、前記第１媒体構造物と前記第２媒体構造物との間で軸方向に端部キャップ構造物（１５２、４５２、７５２）を含み、
（i）前記端部キャップ構造物は、前記芯構造物の少なくとも１つの流体を運ぶ管状部材を収容する少なくとも１つのホール（２０２、５００、８００）を定め、
（ii）前記端部キャップ構造物は、前記第２媒体構造物によって濾過された流体を前記第２出口構成物まで運ぶために、少なくとも１つの出口ホール（２０４、５０４、８０４）を定めることを特徴とする請求項２５に記載のフィルタ構成物。
【請求項２７】
（ａ）前記芯構造物は、ボルトを受け入れる管状部材（１７２、４７２、７７２）を含み、
（ｂ）前記カバーは、前記カバーの内部に延びているボルト（１０６、４０６、７０６）を含み、前記ボルトは、前記ボルトを受け入れる管状部材を通って延びていて、前記ハウジングによって定められたネジ受けによって受け入れられることを特徴とする請求項２６に記載のフィルタ構成物。
【請求項２８】
（ａ）前記芯構造物は、（i）前記少なくとも１つの流体を運ぶ輸送管状部材および（ii）前記ボルトを受け入れる管状部材に連絡する、開口を有する突出したネック（４６６、７６６）を含んでおり、
（i）前記ネックは、第１シール部材と第２シール部材とによって保持されかつ取り囲まれており、
（ii）前記ネックは、前記端部キャップ構造物ホール中に受け入れられており、前記ネックの第１シール部材は、前記端部キャップ構造物ホールの周囲で前記端部キャップ構造物とシールを形成し、
前記ネックの第２シール部材は、前記ハウジングの前記第２入口構成物とシールを形成することを特徴とする請求項２７に記載のフィルタ構成物。
【請求項２９】
（ａ）前記芯構造物は、前記ネック（７６６）から軸方向に延びているプラグ部材（８５４）を更に含み、前記プラグ部材はシール部材（８５８）を含み、
（ｂ）前記ハウジングは、第２排水部材ポート（８５６）を定め、前記プラグ部材のシール部材は、前記第２排水部材ポートが解放可能なシールを形成することを特徴とする請求項２８に記載のフィルタ構成物。
【請求項３０】
（ａ）前記フィルタエレメントは、前記第１媒体構造物および前記第２媒体構造物を取り囲むシール部材構成物（１８２、４８２、４８７、７８２、７８７）を更に含んでいることを特徴とする請求項２０に記載のフィルタ構成物。
【請求項３１】
（ａ）前記シール部材構成物は、１組のシール部材（４８２、４８７、７８２、７８７）を含み、前記シール部材が前記ハウジングと前記カバーとの間で前記シール部材を圧縮することによって前記ハウジングとカバーと軸方向シールを形成するために配置されていることを特徴とする請求項３０に記載のフィルタ構成物。
【請求項３２】
（ａ）前記カバーは、前記カバーの内部に延びているボルト（１０６、４０６、７０６）を含み、前記ボルトは、前記ハウジングによって定められたネジ受けによって受け入れられており、
（ｂ）前記ボルトは前記カバーの外部から延びているヘッド（１１０、４１０）を有し、
（ｃ）前記ボルトは、前記第２媒体構造物を通って前記ハウジング中の前記ネジ受けまで延びており、
（ｄ）前記ボルトヘッドは、前記ボルトを回転して前記カバーと前記ハイジングとの間に閉じこめられた前記シール部材で前記ハウジングに対して前記カバーを締めつけるように、回転可能であることを特徴とする請求項３１に記載のフィルタ構成物。
【請求項３３】
（ａ）前記ハウジング中に燃料ポンプ（７４、３７４、６７４）を更に有し、前記第１フィルタ媒体は、前記燃料ポンプを取り囲むことを特徴とする請求項２０乃至請求項３２のいずれか１項に記載のフィルタ構成物。
【請求項３４】
フィルタシステムであって、
請求項２０に記載のフィルタエレメントを有し、
前記フィルタシステムは、
（ａ）燃料タンク（３２）と、
（ｂ）燃料噴射システム（３６）と、
（ｃ）燃料ポンプ構成物（２６）と、
（ｄ）フィルタ構成物と、を有し、
（i）前記燃料ポンプ構成物の少なくとも一部が前記ハウジング中にあり、前記第１フィルタ媒体が前記燃料ポンプ構成物を取り囲んでいることを特徴とするフィルタシステム。
【請求項３５】
（ａ）前記第１入口構成物は、前記燃料タンクと前記第１フィルタ媒体の上流側との間で流体流れが連絡しており、
（ｂ）前記第1出口構成物は、前記第１フィルタ媒体の下流側と前記燃料ポンプ構成物との間で流体流れが連絡しており、
（ｃ）前記第２入口構成物は、前記燃料ポンプ構成物と前記第２フィルタ媒体の上流側との間で流体流れが連絡しており、
（ｄ）前記第２出口構成物は、前記第２フィルタ媒体の下流側と前記燃料噴射システムとの間で流体流れが連絡していることを特徴とする請求項３４に記載のフィルタシステム。
【請求項３６】
フィルタ構成物（４０、４０'、３４０、６４０、９００）を整備する方法であって、
（ａ）ハウジング（４２、４２'、３４２、６４２、９０２）からカバー（４４、４４'、３４４、６４４、９０４）を取り外す工程と、
（ｂ）前記ハウジングからフィルタエレメント（４６、４６’、３４６、６４６、９０６）を取り外す工程と、
を有し、
前記フィルタエレメントが、
（i）開いているフィルタ内部を定める管状形状部を有する第１フィルタ媒体を持った第１媒体構造物（４８、３４８、６４８、９０８）であって、前記第１フィルタ媒体を通過する半径方向の流体流れのために配置されている、前記第１媒体構造物と、
（ii）前記第１媒体構造物と軸方向に一直線に並んで配置されている第２媒体構造物（５０、３５０、６５０、９１０）であって、軸方向の流れのために配置された第２フィルタ媒体を有する、前記第２媒体構造物とを有し、
（Ａ）前記第１媒体構造物と前記第２媒体構造物とが互いに流体的に隔離されていることを特徴とする方法。
【請求項３７】
（ａ）前記カバーを取り外す工程は、前記カバーと前記ハウジングとの間の締め具を緩めるために、前記第２媒体構造物を通って前記ハウジング上のネジ受け（１０４、４０４、７０４）中に延びているボルト（１０６、４０６、７０６）を回転する工程を含むことを特徴とする請求項３６に記載の方法。
【請求項３８】
（ａ）前記カバーを取り外す工程は、前記カバーと前記ハウジングとの間の軸方向シールを緩める工程を含むことを特徴とする請求項３６または請求項３７に記載の方法。
【請求項３９】
（ａ）前記ハウジングから前記フィルタエレメントを取り外す工程は、前記第１媒体構造物をポンプ（７４、３７４、６６０）の周囲および入口管と出口管の周囲から取り外す工程を含んでいることを特徴とする請求項３６乃至請求項３８のいずれか１項に記載の方法。
【請求項４０】
（ａ）前記カバーを取り外す工程と前記ハウジングから前記フィルタエレメントを取り外す工程は、同時に実行されることを特徴とする請求項３６乃至請求項３９のいずれか１項に記載の方法。
【請求項４１】
（ａ）前記フィルタエレメントと前記カバーの間のラッチ構成物（５４０）を外す工程を更に有することを特徴とする請求項４０に記載の方法。
【請求項４２】
（ａ）カバー（４４、４４'、３４４、６４４）を取り外す工程は、前記ハウジング（４２、４２'、３４２、６４２）の上方から実行されることを特徴とする請求項３６乃至請求項４１のいずれか１項に記載の方法。
【請求項４３】
（ａ）カバー（９０４）を取り外す工程は、前記ハウジング（９０２）の下方から実行されることを特徴とする請求項３６乃至請求項４１のいずれか１項に記載の方法。
【発明の詳細な説明】
【技術分野】
【０００１】
本開示は、フィルタ構成物、フィルタシステム、およびフィルタ方法に関する。特に、本開示は、第１フィルタがポンプの上流側にあり第２フィルタがポンプの下流側にある単一ユニットにおいて、少なくとも２つのフィルタを結合することに関する。１つの実施例では、本開示は燃料システムで使用可能なフィルタシステムに関する。
【背景技術】
【０００２】
本出願は、２００７年１月２９日に、米国を除く全ての国を指定する出願人である米国国内企業のドナルドソン会社の名において、および米国のみを指定する出願人であり全てが米国民であるパトリック・クリント、ジョンＲ．ハッカー、ジョディ・ビリー、およびカートＢ．ジョシャーの名においてＰＣＴ国際特許出願として出願するものであり、２００６年１月３０日に出願された米国仮特許出願第６０/７６３,７４３号、２００６年２月２２日に出願された米国仮特許出願第６０/７７５,４６７号、２００６年８月２１日に出願された米国仮特許出願第６０/８２２,９７４号の優先権を主張するものである。
【０００３】
図１は、先行技術システムを示す。多くのディーゼル機関で動く乗り物に対して、２つの燃料フィルタがあり、燃料システム・コンポーネント（ポンプと燃料噴射装置）の適切な保護を提供するために使用される。これらのシステムでは、燃料を移送ポンプ１４を使用して燃料タンク１０から第１（吸気）フィルタ１２まで動かす。移送ポンプ１４から燃料は第２（加圧された）フィルタ１６を通って燃料噴射システム１８に移動する。吸込側の第１フィルタ１２は、通常、水といくらかの粒状物質を取り除く。水は燃料より重いので、フィルタ媒体に到達する前に流速が低下する（沈降チャンバー）と、燃料から水の多くをすばやく分離することができる。第１フィルタ１２中の媒体は、前記媒体を疎水性にする物質によって処理されており、この物質は媒体を通過する前に燃料からいくらかの水を奪うように作用する。別の方法は、吸込フィルタ１２中の標準の媒体の上流に特別な媒体層を追加して、燃料の外側で水を合体するように設計されている。水は、媒体の汚染側の下方に移動して、結局、沈降あるいは収集チャンバ２０中で沈降する。
【発明の開示】
【発明が解決しようとする課題】
【０００４】
ディーゼル機関への放出変化の結果として、燃料システムの圧力はかなり増加する。増加した圧力は、燃焼チャンバー中により微細な燃料を噴射して、より完全な燃焼をもたらし、次に、放出を低減するのを助ける。高圧のため、燃料噴射器コンポーネントは、その可動部により小さいすきまを有する。これらのすきまを維持し、作動時の間に（可動部の間のかなりの摩耗を防ぐために）潤滑するこの小さいすきまは、燃料にかなり依存する。水は、燃料より低い膜強度を有するので潤滑性をかなり減少させ、可動部が互いに接触する機会を提供する。高圧では、少量の水でさえ燃料噴射装置コンポーネントの摩耗速度を加速し得る。現在の既存のシステムでは、通常は乗り物の異なる場所に配置されている２つの分離したフィルターアセンブリを通常の整備点検の間に整備する必要がある。そのため、改良が必要である。
【課題を解決するための手段】
【０００５】
発明の概要
開いているフィルタ内部を定める管状形状部を有する第１フィルタ媒体を備えた第１媒体構造物を持つフィルタエレメントが提供される。この第１媒体構造物は、第１フィルタ媒体を通る半径方向流れのために配置されている。また、フィルタエレメントは第１媒体構造物と軸方向に一直線上に並んでいる第２媒体構造物を含んでいる。第２フィルタ構造物は、軸方向流れのために配置された第２フィルタ媒体を有する。第１媒体構造物と第２媒体構造物は流体的に互いに隔離されている。
【０００６】
フィルタ構成物は、ハウジング内部内に取り外し可能に配置され、上記により特徴付けられたフィルタエレメントを含んでいる。カバーは、フィルタエレメントに選択的にアクセスするためにハウジング上に取り外し可能に配置されている。
【０００７】
フィルタ構成物は、上記により特徴付けられたようなフィルタエレメント、燃料タンク、燃料噴射システム、燃料ポンプ構成物を含んで提供される。少なくとも燃料ポンプ構成物の一部がハウジング内にあり、第１フィルタ媒体が燃料ポンプ構成物を囲んでいる。
【０００８】
フィルタ構成物を整備する方法は、カバーを取り外す工程およびハウジングからフィルタエレメントを取り外す工程を含んでいる。フィルタエレメントは、上記特徴付けられたような種類を含んでいる。
【発明を実施するための最良の形態】
【０００９】
Ａ．燃料回路システムの実施例：図２
図２は、燃料回路システム２２の概要を示す図である。燃料システム２２が示されているが、ポンプの吸気側フィルタと、ポンプの加圧側のフィルタとを利用するいかなるシステムも使用することができると理解されるべきである。図示された燃料システム２２は、まさに１つの実施例である。
【００１０】
図２では、吸気または第１フィルタ２４がポンプ構成物２６の吸気側あるいは上流側に示されており、加圧または第２フィルタ２８がポンプ構成物２６の下流側に示されている。ポンプ構成物２６は、移送ポンプ、第１ポンプ、またはその両方の組合せであり得る。ポンプ構成物２６が移送ポンプのみである場合には、第１フィルタ２４の上流で利用される第１ポンプ２７もまたあり得る。図２では、第１フィルタ２４と第２フィルタ２８は、単一ハウジング３０の一部である。示された好適な実施例では、さらに、第１フィルタ２４と第２フィルタ２８は、一緒に単一フィルタエレメント中に結合されている。単一フィルタエレメントは、２つに分離されたエレメントより低コストである。さらに、単一に結合されたフィルタエレメントを整備するのにかかる時間は、図１に示された先行技術のような２つに分離されたユニットを整備するのにかかる時間より短かい。
【００１１】
また、図２において、ポンプ構成物２６は、移送ポンプあるいは第１ポンプである。多くの応用において、移送ポンプおよび第１ポンプの両方が使用される。移送ポンプは、エンジンに取り付けられエンジンの駆動シャフトに機械的手段（通常はギアセット）によって作動される。第１ポンプは、通常、フィルタエレメントに取り付けられ、特にフィルタを取り替えた後でシステムを作動するために使用される。フィルタが取り替えられた後で、空気は燃料システム中に閉じこめられ、第１ポンプは燃料システムを作動するために使用される。移送ポンプはエンジンによって駆動されるので、バッテリーの停止したエンジンを回転するのに数分かかって、エンジンを始動するために十分準備された燃料システムを得る。図２では、電気駆動移送ポンプがポンプ構成物２６として使用されるので、別の第１ポンプは必要としない。電気駆動移送ポンプは、エンジンを動かさずにシステムの準備を作動するために使用することもができる。
【００１２】
更に、図２に燃料タンク３２、排水アセンブリ３４および燃料噴射システム３６が示されている。ポンプ構成物２６は、燃料を燃料タンク３２から第１フィルタ２４まで吸引する。第１フィルタ２４は少なくともいくらかの水を燃料から取り除く。水は、排水アセンブリ３４へ排水される。また、第１フィルタ２４は、燃料から少なくともいくらかの微粒子材料を取り除く。濾過された燃料は、次に、ポンプ構成物２６によって第２フィルタ２８を通って押し出される。第２フィルタ２８は、燃料を濾過してから燃料噴射システム３６まで運ぶ。
【００１３】
Ｂ．フィルタ構成物の実施例：図３〜１０，２２、２３
図３にフィルタ構成物４０の１つの実施例の分解斜視図を示す。フィルタ構成物４０は図２の燃料システム２２で使用可能であり、他の種類のシステムでも使用可能である。図３では、取り外し可能なカバー４４を有するハウジング４２がフィルタエレメント４６を含んで示されている。フィルタエレメント４６はハウジング４２から部分的に取り除された状態で示されており、カバー４４はハウジング４２とフィルタエレメント４６の両方から取り外されて示されている。
【００１４】
フィルタエレメント４６は、示された実施例において、一般に、第１媒体構造物４８と第２媒体構造物５０とを含んでいる。図３で見られるように、示された実施例において、第１媒体構造物４８と第２媒体構造物５０は、軸方向に一直線に並んでいる。すなわち、一方が他方の上部の上に積層されている。示された実施例では、第２媒体構造物５０は、第１媒体構造物４８の上部の上に積層されている。明らかなように、フィルタエレメント４６は、どの方向からも間隔を開けて配置されており、第１媒体構造物４８と第２媒体構造物５０は、軸方向に一直線上に並べられている。
【００１５】
ここで、図３〜８、２０、２２および２３を参照すると、ハウジング４２と様々な内部コンポーネントが記載されている。ハウジング４２は、ハウジング内部５４を定める外壁５２を含む。ハウジング４２は、フィルタエレメント４６を挿入したり除去したりするのを可能にするアクセス開口５６を有している。カバー４４をハウジング４２から取り外すと、アクセス開口５６が露出してフィルタエレメント４６が露出する。
【００１６】
ハウジング４２は、示された実施例において、内部コンポーネント５８（図８）を含む。内部コンポーネント５８は、示された実施例において、ポンプ構成物６０、ボウル６２および下部ハウジング６４を含む。本明細書で用語「ハウジング４２」を使用する場合、外側ハウジング壁５２、ポンプ構成物６０、ボウル６２および下部ハウジング６４のアセンブリ、またはこれらの部品のサブコンビネーションを意味し得る。
【００１７】
下部ハウジング６４は、外壁５２内に収容され、外壁５２と下部ハウジング６４とはねじ６５などの固定具で一緒に固定される。ボウル６２は、ネジ受け６６によって取りつけ可能に下部ハウジング６４に固定される。
【００１８】
制限指示計（restriction indicator）６８は、ハウジング６４の外壁５２に取り付けられ、第１媒体構造物４８、この場合、第１フィルタを横切る制限を指示する。
【００１９】
親指ノブ７２を有する排水プランジャーアセンブリ７０は、下部ハウジング６４のネジ受けに回転可能に取り付けられている。排水プランジャーアセンブリ７０は、フィルタ構成物４０を整備するときに、第１および第２媒体構造物４８、５０が燃料を燃料タンク３２に抜き戻すのを可能する部分を開く。
【００２０】
ボウル６２は、第１フィルタ４８によって燃料から分離された水を集める。ボウル６２は、例示の実施例において、２００５年８月１１日に出願され譲渡され現在係属中の米国特許出願第１１/２０２,７３６号に基づいて構成された排水バルブアセンブリ８２（図１０）を含んでおり、該出願は、参照により本願明細書に合体される。図１０では、ボウル６２は、排水バルブアセンブリ８２に沿った断面で見ることができる。排水バルブアセンブリ８２は、合体された米国特許出願第１１/２０２,７３６号で示されるように、ボウル６２に対して回転可能なノブ８４を含んでいる。ボウル６２は水収集チャンバ８６を有し、ノブ８４を回転すると、流路が一直線上に並んで開き、排水が水収集領域８６から排水バルブアセンブリ８２を通るのを可能する。
【００２１】
図２４〜２６は、参照番号２２６でボウルおよび排水アセンブリの代替の実施例を示している。ボウルおよび排水バルブアセンブリ２２６は、ボウル２２８とセンサー２３０と電気コネクタ２３２を有する自動排水部とを含んでいる。図１０に示されているように、水をボウル６２から手動で排出する場合には、図２４〜２６の構成物を使用可能である。水はボウル２２８に集められ、水センサー２３０がボウル２２８に集められた水レベルを検出する。水レベルが十分に高いと、定期的に、電気コネクタ２３２を有する自動排水部を活性化してボウル２２８から水を排出する。図２４と２６から分かるように、ボウル２２８は、ネジ受け部２３４を有し、ボウル２２８が下部ハウジング６４と容易に接続するのを可能にする。
【００２２】
更に図８を参照すると、ポンプ構成物が６０で示される。上記説明したように、ポンプ構成物６０は、第１ポンプ、移送ポンプ、または両方の組合せであり得る。図示された実施例では、ポンプ構成物６０は第１ポンプ７４として作動する。ヒーター７６はブラケット７８によって操作可能に保持される。ブラケット７８は第１ポンプ７４とヒーター７６とを保持する。ヒーター７６は、燃料を燃料タンク３２（図２）からハウジング４２まで運ぶときに加熱する。ブラケット７８は、図１、５および２２で明確に示される入口構成物８０を定め、燃料タンク３２からの燃料をブラケット７８に運び、ヒーター７６で加熱する。燃料の加熱は、燃料がジーゼル油であるときに有用である。
【００２３】
図２０に外壁５２を含むハウジング４２の一部を示す。図２０において、取り囲む外壁５２がＶ字形状で示される実施例において、どのように統合されたフランジ８８を有するかを理解することができる。フランジ８８は、ボルトなどの締め具を収容する開口９０を定め、総合的なフィルタ構成物４０を乗り物に固定する。図２０および１０では、取り囲む外壁５２が、外側を取り囲むリム９２をどのように定めるかを理解することができる。好適な実施例では、リム９２は、カバー４４とシールを形成するシール部材とを収容するように機能する。このことを以下でさらに説明する。
【００２４】
ここで、図１０を参照すると、図１０で他の目に見える特徴は、第１媒体構造物４８が容積９５を占領するためのシート９４を含む。流体流路は９６で示され、第２媒体構造物５０のための入口流路９８として機能する。流体流路１００は第１ポンプ７４を通り、第１媒体構造物４８のための入口流路１０２として機能する。図１０に示す実施例では、ネジ受け（ネジ山の受け部）あるいはソケット１０４は、ハウジング４２の一部でもあり、下部ハウジング６４によって特に定められる。ソケット１０４は、カバー４４の内部１０８中に延びているボルト１０６（図１９と２２）のネジ山を受け入れる。
【００２５】
図１９に示される実施例では、カバー４４は、ボルト１０６に固定された回転可能なノブ１１０を含んでいる。ボルト１０６はねじ山１１２を含み、ソケット１０４（図１０）中のネジ筋と係合する。回転可能なノブ１１０を有するボルト１０６とハウジング４２中のソケット１０４の組合せは、ハウジング４２にカバー４４を選択的に固定またはロックし、かつ選択的に固定またはロックしないことを可能にする。他の固定構成物は、ラッチあるいは他の締め具を使用することができる。
【００２６】
また、図３を参照すると、示された実施例におけるカバー４４の別の特徴として、空気あるいはガスポート１１４がある。ガスポート１１４は、整備点検の間、ハウジング４２内への空気の流れを可能にしてフィルタ構成物４０の排水を補助する。
【００２７】
ここで図３、１８、および１９を参照すると、カバー４４は、フランジ１１６に隣接する外側リム１１８を有する外側フランジ１１６を定める。使用中に、フランジ１１６は、フィルタエレメント４６上のシール部材１８２と協同して、ハウジング４２のリム９２とシール１８３を形成する。以下でさらに説明される実施例において、シール１８３は、保護部として機能するリム１１８を有するフランジ１１６とリム９２の間の軸方向のピンチシールである。図１８で見られるように、外側リム１１８は、カバー４４の周辺の一部だけに延びている。
【００２８】
図９と図１８において、ハウジング４２とカバー４４は非円形の構成であることが理解される。カバー４４は、示される実施例において非円形、あるいは一般に楕円形である。ハウジング４２中のアクセス開口５６は、一般にカバー４４の形状であり、示された実施例では、一般に楕円形あるいは非円形である。
【００２９】
また、図３〜１０を参照すると、ハウジング４２中の入口および出口構成物がここで説明される。上記説明したように、入口構成物８０は、第１入口ポート１２０（図３、５、１０、および２２）を含む。第１入口ポート１２０は、第１フィルタ入口流路１０２と流体流れで連絡していて、ヒーター７６の上を通過する。第１入口ポート１２０はまた、燃料が燃料タンク３２から吸引されて第１入口ポート１２０に入り、ヒーター７６の上を通り、第１フィルタ入口流路１０２に入るように、燃料タンク３２（図２）と流体流れで連絡している。そこから、燃料は、以下でさらに説明されるように、第１媒体構造物４８まで移動する。
【００３０】
第１出口ポートは、１２２（図３、５、および７）でハウジングによって定められる。燃料がシート（席）９４と容積９５（図１０）中に配置される第１媒体構造物４８を通過した後で、濾過された燃料は第１出口ポート１２２を通り抜ける。この実施例において、第１媒体構造物４８によって濾過された燃料は、ハウジング４２から移送ポンプを通過する。他の実施例では、ポンプ構成物６０（図８）が第１ポンプおよび移送ポンプの両方として作動するとき、濾過された燃料は、ハウジング４２を出る必要はない。図２２と２３は、ハウジング４２内に操作可能に設置された第１媒体構造物４８を示している。
【００３１】
ハウジング４２はさらに、第２入口構成物１２４（図６）を含んでいる。示された実施例では、第２入口構成物１２４は第２流体入口ポート１２６を含んでいる。第２入口ポート１２６は第２入口流路９８（図９と１０）との流体流れで連絡している。燃料は、移送ポンプから第２入口ポート１２６を通って第２フィルタ入口流路９８および第２媒体構造物５０に流れる。以下でさらに説明される。
【００３２】
ハウジング４２はさらに、第２出口構成物１２８（図６）を含んでいる。示された実施例において、第２出口構成物１２８は、第２出口流路１３２（図９と２３）と流体流れで連絡している第２出口ポート１３０を含んでいる。燃料は、移送ポンプから第２入口ポート１２６に入り、第２媒体流路９８を通って、第２媒体構造物５０を通って（以下でさらに説明される）第２出口流路１３２（図２３）を通って流れ、第２出口ポート１３０（図６）を通ってハウジングを出る。第２出口ポート１３０から、濾過された流体は燃料噴射システム３６（図２）に流れる。
【００３３】
Ｃ．実施例のフィルタエレメント４６  図３、１１−１７、２２、２３
上記説明したように、実施例のフィルタエレメント４６は、第１媒体構造物４８と第２媒体構造物５０とを含んでいる。図３で示されているように、フィルタエレメント４６は、操作可能に設置でき、取り外し可能であり、ハウジング４２から取替え可能である。
【００３４】
図１１は、実施例のフィルタエレメント４６の分解組立図を示している。示されたフィルタエレメント４６は、管状形状部１３７を含む第１媒体１３６を含む第１媒体構造物４８を含んでいる。「管状形状部」によって、第１フィルタ媒体は、開いている中空内部１３８を備える、閉じている周辺部を有することを意味する。管状形状部１３７は、一般に、筒状または非筒状であり得る。示された実施例では、第１フィルタ媒体１３６の管状形状部１３７は、丸くなく、特に、非円形または楕円形である。多くの異なる種類のフィルタ媒体は、第１フィルタ媒体１３６に対して使用することができるが、一般に、媒体１３６はそこを通る半径方向の流れのために配置されている。半径方向流れに対して１つの使用可能な種類の媒体はひだ付き媒体１４０である。ひだ付き媒体１４０は、好ましくは、第１媒体を通過する燃料から水を分離するために疎水性コーティングを有する媒体を含む。他の種類のシステムでは、フィルタ設計者によって選択されたような他の種類の媒体が使用される。
【００３５】
示される実施例において、第１媒体構造物４８はさらに、第１フィルタ媒体１３６を保持または支持する外側ライナー１４２を含んでいる。外側ライナー１４２はひだ付き媒体１４０が使用される場合、崩壊からひだを防ぐのを助ける。示される実施例において、外側ライナー１４２は、一般に、第１フィルタ媒体１３６の外部１４５を囲んでいる。好適な実施例では、濾過される流体がフィルタ内部１３８から第１フィルタ媒体１３６を通って流れるとき、外部１４５は第１フィルタ媒体１３６の下流側である。
【００３６】
示される実施例において、第１媒体構造物４８は、下部端部キャップ１４８を含む。下部端部キャップ１４８はひだ付き媒体１４０の端部１４９を固定する。反対の端部１５０は、第１媒体構造物４８と第２媒体構造物５０の間で軸方向にある端部キャップ構造物１５２に固定されている。下部端部キャップ１４８は、開口１５４を定める開いている端部キャップである。開口１５４は、第１媒体構造物４８が下部ハウジング６４の内側コンポーネント５８を取り囲むために上方でかつ周囲に配置可能である第１媒体構造物４８を可能にする。すなわち、開口１５４は、内部コンポーネント５８が開いているフィルタ内部１３８内に配置されるように内部コンポーネント５８の上方でかつ周囲に適合する第１媒体構造物を可能にする。
【００３７】
第２媒体構造物５０は、上記説明したように、第１媒体構造物４８と軸方向に一直線上に並んでいる。第２媒体構造物は第２フィルタ媒体１５６を含んでいる。多くの異なるフィルタ媒体が使用可能であるが、示された実施例では、第２フィルタ媒体１５６は、軸方向流れに対して配置され、入口と出口は、第２フィルタ媒体１５６の対向する軸方向の端部に配置されている。示された配置において、第２フィルタ媒体１５６は、軸方向の端部１５８で入口端部を有し、反対の軸方向端部で出口端部１６０を有する。
【００３８】
示された実施例では、第２フィルタ媒体１５６は、軸方向の流体流れに対して配置されたひだ付きでない媒体を有する。そのような媒体は、例えば、米国特許第６,７８３,５６５号に記載され、本明細書に参照による合体されるＺ型フィルタ媒体を含み得る。代替として、第２フィルタ媒体１５６は、らせん状に積層されたあるいは巻き上げされたフィルタ材料の複数の層であって、各層がスクリーンによって分離され、対向する代替の軸方向の２つの端部がふた（closure）で遮蔽されている複数の層を含み得る。図１３に示された実施例において、移送ポンプの下流または加圧側の燃料などの清浄にされた流体は、第２入口ポート１２６を通ってハウジングを入り、第２入口流路９８（図９、１０、および２３）を通って、第２媒体構造物５０の入口端部１５８まで運ばれる。次に、清浄にされた燃料は、媒体１５６の閉じていない、開いている軸方向の端部を通って流れる。流体は、媒体１５６を通って流れ、出口端部１６０で閉じていない、開いている軸方向の端部を出る。そこから、清浄にされた燃料は、第２出口流路１３２（図９と２３）を通って運ばれ、第２出口ポート１３０を通って出る。
【００３９】
第１媒体構造物４８と第２媒体構造物５０は流体的に互いに隔離されている。「流体的に隔離される」という用語によって、第１媒体構造物４８と第２媒体構造物５０を通る流体とが少なくともフィルタ媒体によって分離され、第１入口ポート２０および第１出口ポート１２２は、第２入口ポート１２６および第２出口ポート１３０と完全に切り離されていることを意味する。
【００４０】
図１１で示される実施例では、第２フィルタ媒体１５６は非円柱状である。特に、示された実施例では、形状は、楕円形、非円形（丸くなく）、または競馬場の形状をしている。一般に、第２フィルタ媒体１５６の外側周囲は、総合的な寸法は異なるが、第１フィルタ媒体の外側周囲と同じ形状を有する。
【００４１】
フィルタエレメント４６は、好適な実施例において、さらに、芯構造物１６２（図１３、１６、および１７）を含んでいる。示された実施例において、芯構造物１６２は、第２フィルタ媒体１５６によって囲まれている。好ましい配置では、芯構造物１６２は、少なくとも１つの流体を運ぶ管状部材１６４を含んでいる。好適な実施例では、ポンプの加圧側の燃料などの濾過されるべき流体は、第２入口流路９８（図９と１０）を通って、運ぶ流体を管状部材１６４を通って、次に、第２フィルタ媒体１５６の入口端部１５８まで運ぶ。図１１、１３、および１７で示されるように、流体を運ぶ管状部材１６４は端部でネック１６６を有する。ネック１６６は、隣接する部分とシールを形成するシール部材１６９、１７０（図１３）を保持するために溝１６７、１６８を定める。溝１６８とシール部材１６９の場合、シール２１４（図２３）は端部キャップ構造物１５２で形成され、以下でさらに説明される。溝１６７とシール部材１７０の場合、シール２１５（図２３）は第２フィルタ入口流路９８（図９と１０）で形成される。
【００４２】
流体を運ぶ管状部材１６４は、示された実施例において、端部１７３から芯構造物１６２の端部１７４まで完全に貫通ホールまたは流路を形成する。
【００４３】
図１７では、芯構造物１６２は、一般に、流体を運ぶ管状部材１６４を形成するのを助ける外壁１６３と内壁１６５とを有する。流体を運ぶ管状部材１６４に加えて、好適な実施例では、芯構造物１６２は、ハンドルを受け入れる管状部材１７２（図１７と２２）を定める。ハンドルを受け入れる管状部材１７２は、対向する軸方向端部１７３と１７４から完全な貫通ホールを定める。ハンドルを受け入れる管状部材１７２は、ハンドルを操作可能に受け入れ、本明細書に実施されるように、ボルト１０６（図１９と２２）がカバー４４から突き出ている。図２２の実施例で示されるように、ボルト１０６は、ハンドルを受け入れる管状部材１７２を通過することによって、第２媒体構造物５０を通過するのを可能にする。次に、ボルト１０６は、ハウジング４２のソケットに接続するのを可能にする。
【００４４】
ハンドルを受け入れる管状部材１７２は、その端部で延びているネック１７６を含んでいる。ネック１７６は、シール部材１７９、１８０を受け入れる、１組の溝１７７、１７８（図１３）を定める。シール部材１７９は、芯構造物１６２と端部キャップ構造物１５２との間でシール２１８（図２２）を形成し、シール部材１８０は、芯構造物１６２とソケット１０４（図１０）との間でシール２１９（図２２）を形成する。
【００４５】
図１６で示されるように、芯構造物１６２は、非円形の周囲、例えば、非円形または競馬場形状の周囲を有する。第２フィルタ媒体１５６に対する他の構造が好まれる場合は、芯構造物１６２の形状は、変更可能である。
【００４６】
フィルタエレメント４６はさらに、第１および第２媒体構造物４８、５０を取り囲むシール部材１８２を含んでいる。フィルタエレメント４６は操作可能にハウジング４２中にに設置されている場合、シール部材１８２は、フィルタエレメント４６と、ハウジング壁５２と、カバー４４の間でシールを形成する。示された実施例において、シール部材１８２は、カバー４４とハウジング４２の間の軸方向圧縮によってピンチシール１８３（図２２と２３）を形成する。実施例では、シール部材１８２は、ゴム、圧縮可能なポリウレタン・フォーム、および他の適当な材料からを作ることができる。好適な実施例では、シール部材１８２は、端部キャップ構造物１５２によって保持され支持されている。
【００４７】
端部キャップ構造物１５２をここで更に詳細に説明する。端部キャップ構造物１５２の好適な実施例を図１１〜１５に示す。図示された端部キャップ構造物１５２は、シール部材１８２を保持する外側バンド１８４を含んでいる。図１３では、シール部材が第１および第２側部１８６、１８８の間の外側バンド１８４のフランジ１８５を有する第１側部１８６と第２側部とを有し、断面がＵ字形状であることを理解することができる。フィルタエレメント４６がハウジング４２内に操作可能に設置されると、カバー４４のフランジは第１側部１８６と係合し、ハウジング４４のリム９２は第２側部１８８と係合する。リム１１８はシール部材１８２の外側の半径方向の表面１９０を被覆している。ノブ１１０を回転すると、ノブ１１０は、ソケット１０４中でねじ山１０５と係合しているボルト１０６を回転し、ハウジング４２に向かって軸方向にカバー４４を動かす。この結果、フランジ１１６、シール部材１８２の第１側部１８６、ハウジング４２のリム９２を有するシール部材１８２の第２側部１８８の間で圧縮力が得られる。端部キャップ構造物１５２のフランジ１８５は、これらの軸方向力に対するシール部材１８２を支えるために支持する。この軸方向圧縮は、カバー４４とハウジング４２の間でシール部材１８２を有するシール１８３を形成する。
【００４８】
図１１において、端部キャップ構造物１５２は、ひだ付き媒体１４０の端部１５０を保持するために機能する１組の壁１９２、１９３を定める。壁１９２は、一般に、外壁であり、壁１９３を取り囲む。これらの壁は、ひだ付き媒体１４０の端部１５０を支持し、接着剤または埋込用樹脂、または、端部キャップ構造物１５２に媒体１４０のひだの端部を固定する他の種類の方法を保持し得る。
【００４９】
図１２は、フィルタエレメント４６の底面図を示している。図１２では、端部キャップ構造物１５２のある特徴が見られる。特に、端部キャップ構造物１５２は、一般に平らな第１表面１９６と対向する第２表面１９８（図１４）を有する。端部キャップ構造物１５２は、芯構造物１６２の少なくとも１つの流体を運ぶ管状部材１６４を収容する少なくとも１つのホール２００を定める。特に、ホール２００は、芯構造物１６２のネック１６６を収容する。図１３に示されるように、シール部材１６９は、端部キャップ構造物１５２とホール２００を通ってネック１６６との間で半径方向シール２１４（図２３）を形成する。
【００５０】
好適な実施例では、端部キャップ構造物１５２は、更に、ハンドルを受け入れる管状部材１７２のネック１７６を収容するためのホール２０２を含んでいる。図１３と２２では、ハンドルを受け入れる管状部材１７２のネック１７６が、どのようにホール２０２を通って延び、シールがシール部材１７９と端部キャップ構造物１５２の間で形成されることを見ることができる。
【００５１】
好ましい配置では、端部キャップ構造物１５２は、更に、第２媒体構造物１５６によって濾過された流体を運ぶ少なくとも１つの出口ホール２０４を含んでいる。示された実施例では、端部キャップ構造物１５２は、平らな第１表面１９６から延びている管２０６を含んでいる（図１１と２３）。管２０６は、端部キャップ１５２の第２表面１９８から端部キャップ１５２まで流体を運ぶための貫通ホール２０４を定める。管２０６は操作可能に取り外し可能に第２出口流路１３２（図９と２３）に接続されている。図１５では、管２０６が管２０６と第２出口流路１３２との間で解放可能なシール２２０（図２３）を形成するためにどのようにシール部材２０８を保持しているか見ることができる。
【００５２】
ここで図１３、１４および２２を参照すると、端部キャップ構造物１５２はさらに媒体スタンドオフ２１０を含んでいる。媒体スタンドオフ２１０は、端部キャップ構造物１５２の第２表面を越えてかつ上方で第２フィルタ媒体１５６を支持して保持している。これは、ろ過された流体が下流端部１６０を出て、媒体１５６の端部１６０と第２表面１９８の間で定められた容積中に集められることを可能にする。下流端部１６０を出てこの領域に集められた濾過された液体は、次に、ホール２０４を通り、管２０６を通り、第２出口流路１３２まで流れ、第２出口ポート１３０を通って出る。そこから、液体は燃料噴射器システム３６（図２）によって使用される。
【００５３】
図２７〜２９は、一般に、４０’で示されるフィルタ構成物４０の代替の実施例を示している。図２７〜２９の実施例では、カバー４４'は、フィルタエレメント４６’に取り外し可能に接続されている。図２９は、カバー４４を'ハウジング４２から取り外し、フィルタエレメント４６'をカバー４４と共に取りはずす場合のフィルタ構成物４０を整備する一工程を示している。図２７はフィルタ構成物４０’の断面であり、図２８はフィルタエレメント４６'とカバー４４'との間の移動可能な接続２３８の拡大図を示している。特に、端部キャップ構造物１５２’とカバー４４'との間には、ラッチ機構２４０がある。端部キャップ構造物１５２’は、カバー４４’上の対応するキャッチ２４４を係合するフック２４２を有する。カバー４４'は、キャッチ２４４を形成するＵ字形状ポケット２４６を定める。フック２４２はポケット２４６中でキャッチ２４４と係合し、フックは向きを変えることが可能なフランジ２４８の一部である。このエレメント４６'とカバー４４’の間の係合は、整備点検の間、エレメント４６’がカバー４４で取り外されることを可能にする。従って、エレメント４４'は、フック２４２とキャッチ２４４を取り外すためにフランジ２４８の向きを変えることによってカバー４４から取り外すことができる。
【００５４】
Ｄ．方法
フィルタ構成物４０は、さまざまな流体を濾過するために使用することができる。ポンプの上流にフィルタがありポンプの下流にフィルタがある、いかなる種類のシステムでも流体を濾過し得る。燃料システムに対する実施例を示す。燃料システムで燃料を濾過するために、燃料は燃料タンク３２から第１フィルタ２４まで吸引され、水と少なくともいくらかの微粒をが除去する。示された実施例では、燃料は、入口流路１０２を通って運ばれ、第１入口ポート１２０を通ってフィルタ構成物４０に入る。そこから燃料は、第１フィルタ媒体１３６の開いているフィルタ内部１３８中に流れる。水は、フィルタ媒体１３６によって燃料から分離される。水は、下向きに流路２２２（図２３）を通って排水され、水収集領域８６中のボウル６２中に集められる。排水バルブアセンブリ８２は、フィルタ構成物４０から水を除去するために開かれる。あるいはまた、図２４〜２６で示されたように、自動排水弁アセンブリ２２６が利用され、そこでは、水センサー２３０がフィルタ構成物４０から水を除去するための時間を検出し、自動排水溝バルブを動かしてフィルタ構成物４０から水を除去する。
【００５５】
燃料は、フィルタ媒体１３６を通過し、次に、第１出口ポート１２２を通って吸引される。そこから、燃料は、移送ポンプを通過し、次に、第２入口ポート１２６を通過して押し出される。燃料は、第２入口ポート１２６から第２入口流路９８を通って、流体を運ぶ管状部材１６４を通って、第２フィルタ媒体１５６の上流側１５８まで通過する。そこから、燃料は、媒体１５６を軸方向に通って流れ、出口端部１６０を通って下向きに出る。次に、濾過された燃料は、出口端部１６０と端部キャップ構造物１５２の第２表面１９８との間の領域に集まる。次に、濾過された燃料は、出口管２０６のホール２０４を通って流れ、次に、第２出口流路１３２を通って流れる。そこから、燃料は第２出口ポート１３０を通ってハウジング４２を出る。次に、濾過された燃料は、燃料噴射器システム３６によって使用される。
【００５６】
定期的に、フィルタ構成物４０は、整備が必要である。フィルタ構成物４０を整備するために、カバー４４はハウジング４２から取り外ずされ、フィルタエレメント４６はハウジング４２から取り外される。ハウジングからフィルタエレメントを取り外す工程は、示された実施例では、第１フィルタ、第２フィルタ、第１媒体構造物４８、および第２媒体構造物を同時に取り外す工程を含んでいる。ハウジング４２からフィルタエレメント４６を取り外す工程は、（図２７〜３０で示されるように）１工程で、あるいは、カバー４４がエレメント４６を露出するためにハウジング４２から取り外され、次に、エレメント４６をハウジング４２から取り外す別々の工程で、カバー４４（４４'）とエレメント４６（４６'）を取り除く工程を含んでいる。
【００５７】
カバー４４を取り外す工程は、ボルト１０６を回転するためにノブ１１０を回転し、ハウジング４２の軸方向から外れてカバー４４を戻す工程を含んでいる。これは、カバー４４とハウジング４２の間の圧縮を解放して、カバー４４のリム１１６（１１６'）と、シール部材１８２と、ハウジング４２のリム９２の間のシール１８３を解放する。ノブ１１０が回転されると、ボルト１０６は回転し、第２媒体構造物５０を通ってハウジング４２中のねじ受けあるいはソケット１０４に延びる。これは、カバー４４とハウジング４２の間の軸方向シールを解放する。
【００５８】
上記説明されたように、カバー４４（４４'）は、取り付けられたフィルタエレメント４６（４６'）とともに取り外すまたは別々の工程で取り外ずすことができる。ハウジング４２からフィルタエレメント４６を取り除くと、第１媒体構造物４８は、ポンプ構成物６０の周囲からおよび流体流路９８、１０２、１３２を含む内部コンポーネント５８から取り外される。フィルタエレメント４６を捨てて、次に、新しいフィルタエレメント４６に取り替える。図２７〜３０の実施例を使用する場合、フィルタエレメント４６'は、カバー４４'から外して捨てる。新しいフィルタエレメント４６は、開口５６を通過し、ポンプ構成物６０と、流体流路９８、１０２、および１３２を含む内部コンポーネント５８を取り囲むようにフィルタ内部１３８の周囲に配置することによって、操作可能にハウジング４２内に設置する。第１媒体構造物４８は、フィルタシート９４内に操作可能に配向される。シール部材１８２の第２側部１８８は、ハウジング４２のリム９２に対して据え付けられる。
【００５９】
ハウジング４２中にフィルタエレメント４６を操作可能に配向する工程の間に、流体を運ぶ管状部材１６４とシール部材１７０を使用する第２フィルタ入口流路９８との間で接続がなされてシール２１５を形成する。また、ハンドルを受け入れる管状部材１７２とシール部材１８０を有するソケット１０４との間で接続がなされて、シール２１９を形成する。さらに、管２０６とシール部材２０８を有する第２出口流路１３２の間で接続がなされて、シール２２０を形成する。
【００６０】
カバー４４は、フィルタエレメント４６の上方に操作可能に向けをあわせる。カバー４４は、第２媒体構造物５０の上方に配置される。カバー４４のフランジ１１６を、シール部材１８２の第２側部１８８に対して据え付ける。ノブ１１０をボルト１０６上のねじ山１１２とソケット１０４中のねじ山１０５との間で回転してねじにより係合させる。これは、ハウジング４２に対して軸方向にカバーを動かし、フランジ１１６とリム９２の間でシール部材１８２に圧縮を引き起こして軸方向のシール１８３を形成する。
【００６１】
図２７〜３０の実施例が利用されるとき、フィルタエレメント４６'は、エレメント４６’のフックをカバー４４'のキャッチ２４４に係合してカバー４４に最初に接続され、次に、カバー４４と'エレメント４６'のアセンブリがハウジング４２中に操作可能に設置される。あるいはまた、図１〜２３の実施例あるいは図２７〜２９の実施例では、フィルタエレメント４６は第１工程でハウジング４２に設置され、次にカバー４４をエレメント４６の上に別々に取り付ける。
【００６２】
ここで、フィルタ構成物４０はフィルタ操作のために可能である。
【００６３】
Ｅ．  フィルタ構成物の別の実施例：図３１〜５４
図３１は別の実施例のフィルタ構成物３４０の分解斜視図である。フィルタ構成物３４０は、図２の燃料システム２２で使用可能であるが、他の種類のシステムでもまた使用することができる。図３１において、取り外し可能なカバー３４４を有するハウジング３４２がフィルタエレメント３４６を含んで示されている。フィルタエレメント３４６は、ハウジング３４２から取り外されて示されるており、カバー３４４は、ハウジング３４２とフィルタエレメント３４６の両方から取り外されて示されている。
【００６４】
示される実施例において、フィルタエレメント３４６は、一般に、第１媒体構造物３４８と第２媒体構造物３５０とを含んでいる。図３１で示されるように、示された実施例において、第１媒体構造物３４８と第２媒体構造物３５０は軸方向に一直線上に並んでいる。すなわち、一方が他方の上に積層されている。示された実施例では、第２媒体構造物３５０は第１媒体構造物３４８の上に積層されて示されている。明らかなように、フィルタエレメント３４６は、いかなる向きにも間隔を離して配置され、更に、第１と第２媒体構造物３４８、３５０は軸方向に一直線上に並べられている。
【００６５】
ここで、図３１〜３８を参照すると、ハウジング３４２と様々な内部コンポーネントが記載されている。ハウジング３４２はハウジング内部３５４を定める外壁３５２を含んでいる。ハウジング３４２は、フィルタエレメント３４６を挿入し取り外すことを可能にするアクセス開口３５６を有している。カバー３４４がハウジング３４２から取り外されるとき、アクセス開口３５６は露出され、フィルタエレメント３４６を露出する。
【００６６】
ハウジング３４２は、示される実施例において、内部コンポーネント３５８（図３６）を含んでいる。内部コンポーネント３５８は、示された実施例において、ポンプ構成物３６０、ボウル３６２、下部ハウジング３６４、水センサーおよびバルブアセンブリ３８４を含んでいる。本明細書で用語「ハウジング３４２」が使用されるとき、外側ハウジング壁３５２、ポンプ構成物３６０、ボウル３６２、下部ハウジング３６４、およびアセンブリ３８４またはこれらの部品のいかなるサブコンビネーションをも含むことを意味する。
【００６７】
下部ハウジング３６４は、外壁３５２中に収容され、外壁３５２と下部ハウジング３６４はボルト３６５などの締め具によって一緒に固定されている。ボウル３６２は、ボルト３６５で下部ハウジング３６４と外壁３５２に固定されている鋳物３６３の一部である。
【００６８】
親指ノブ３７２を有する排水プランジャーアセンブリ３７０は、下部ハウジング３６４を通って回転可能に取り付けられネジ締めされている。排水プランジャーアセンブリ３７０は、フィルタ構成物３４０を整備するとき、ポートを開けて第１および第２媒体構造物３４８、３５０が燃料を燃料タンク（図２）に戻すことを可能にする。圧力スイッチ３６８は、排水プランジャーアセンブリ３７０に隣接している。
【００６９】
ボウル３６２は、第１フィルタ３４８によって燃料から分離された水を集める。ボウル３６２は、水収集チャンバ３８６を有する。水センサーおよびバルブアセンブリ３８４は、水収集チャンバ３８６と連絡している。水センサーおよびバルブアセンブリ３８４は、排水電磁弁３８２と水センサー３８３とを含んでいる。これらのコンポーネントは、一緒になって第１フィルタ３８４によって燃料から集められた水を排出するのを助ける。
【００７０】
再び図３６を参照すると、ポンプ構成物は３６０で示される。上記説明されたように、ポンプ構成物３６０は、第１ポンプ、移送ポンプ、またはそれらの両方の組合せであり得る。示された実施例では、ポンプ構成物３６０は、第１ポンプ３７４として作動する。
【００７１】
図４８において、外壁３５２を有するハウジングの一部が記載されている。図４８で示された実施例において、取り囲む外壁３５２はＶ字形状の一体型のフランジ３８８を有する。フランジ３８８は、乗り物に総合的なフィルタ構成物３４０を固定するためにボルトなどの締め具を受け入れるための開口３９０を定める。図４８と３８において、取り囲む外壁３５２が外側の取り囲むリム３９２をどのように定めるか見ることができる。好適な実施例では、リム３９２は、シール部材４８７を受けるために機能してカバー３４４を有するシール４８９（図５０）を形成する。このことは以下でさらに説明される。
【００７２】
ここで、図３８を参照すると、図３８で見られる他の特徴は、第１媒体構造物３４８が容積３９５中で占有するためのシート（席）３９４を含む。第２媒体構造物３５０のための入口流路３９８として機能する流体流路は３９６で見られる。流体流路４００は、第１ポンプ３７４を通過し、第１媒体構造物３４８に対する入口流路４０２として機能する。図３８に示す実施例では、ねじ受けあるいはソケット４０４もまた、ハウジング３４２の一部であり、特に下部ハウジング３６４によって定められている。ソケット４０４は、カバー３４４の内部４０８中に延びているボルト４０６（図４７と５０）のネジ受けとなる。
【００７３】
図４７で示される実施例では、カバー３４４はボルトヘッド４１０を露出する。ボルト４０６は、ソケット４０４（図３８）中にねじ山と係合するねじ山４１２を含んでいる。ボルト４０６と回転ノブ４１０およびハウジング３４２中のソケット４０４との組み合わせは、ハウジング３４２に対するカバー３４４の選択的な固定またはロッキングと選択的な開放またはアンロッキングを可能にする。他の固定構成物、例えば、ラッチや他の締め具もまた使用可能である。
【００７４】
再び図３１を参照すると、カバー３４４の示された実施例における別の特徴として、空気あるいはガスポート（ガス漏口）４１４を含む。ガスポート４１４は、整備点検の間、空気がハウジング３４２に入るのを可能にして、フィルタ構成物３４０の排水を補助する。
【００７５】
ここで図３１、４６、および４７を参照すると、カバー３４４は外側フランジ４１６を定める。使用中に、外側フランジ４１６は、フィルタエレメント３４６上のシール部材４８２（図４１）と協同して、フィルタエレメント３４６でシール４８３（図５０）を形成する。
【００７６】
図３７と図４６において、ハウジング３４２とカバー３４４は、非円形（丸くない）の構成であることが理解される。示された実施例においてカバー３４４は、一般に、非円形または楕円形である。ハウジング３４２中のアクセス開口３５６は、一般にカバー３４４の形状であり、示された実施例において、一般に楕円形あるいは非円形である。
【００７７】
また、図３１〜３８を参照すると、ハウジング３４２中の入口および出口構成物がここで説明される。上記説明したように、入口構成物３８０は、第１入口ポート４２０（図３１、３２、３６、および３８）を含む。第１入口ポート４２０は、第１フィルタ入口流路４０２（図３８）と流体流れで連絡している。第１入口ポート４２０は、燃料が燃料タンク３２から第１入口ポート４２０および第１フィルタ入口流路４０２に吸引されるように燃料タンク３２（図２）とも流体流れで連絡している。そこから、燃料は、第１媒体構造物３４８まで運ばれるが、以下でさらに説明される。
【００７８】
第１出口ポートは４２２（図３１と４８）でハウジングによって定められる。燃料は、シート（席）３９４と容積３９５（図３８）中に配置されている第１媒体構造物３４８を通過して濾過され、濾過された燃料は、第１出口ポート４２２を通過する。この実施例において、第１媒体構造物３４８によって濾過された燃料は、ハウジング３４２から移送ポンプまで通過する。他の実施例では、ポンプ構成物３６０（図３６）は、第１ポンプと移送ポンプの両方として作動し、次に、濾過された燃料は、ハウジング３４２を出る必要はない。図５０〜５３は、ハウジング３４２に操作可能に配置された第１媒体構造物３４８を示している。
【００７９】
ハウジング３４２はさらに、第２入口構成物４２４（図５４）を含んでいる。示された実施例では、第２入口構成物４２４は、第２流体入口ポート４２６を含んでいる。第２入口ポート４２６は、第２入口流路３９８（図３７、３８、５０、および５１）と流体流れで連絡している。燃料は、移送ポンプから第２入口ポート４２６を通って第２フィルタ入口流路３９８と第２媒体構造物３５０に流れるが、以下でさらに説明される。
【００８０】
ハウジング３４２は、さらに、第２出口構成物４２８（図５４）を含んでいる。示された実施例では、第２出口構成物４２８は、第２出口流路４３２（図３７と５２）と流体流れで連絡している第２出口ポート４３０を含んでいる。燃料は、移送ポンプから第２入口ポート４２６を通って、第２媒体構造物３５０を通って、第２媒体構造物３５０（以下でさらに説明される）を通って、第２出口流路４３２（図５２）を通って、第２出口ポート（図５４）を通ってハウジングを出る。濾過された流体は、第２出口ポート４３０から燃料噴射システム３６（図２）に流れる。
【００８１】
Ｆ．実施例のフィルタエレメント３４６  図３１、３９〜４５、５０〜５３
上記説明したように、実施例のフィルタエレメント３４６は、第１媒体構造物３４８と第２媒体構造物３５０を含む。図３１に示されるように、フィルタエレメント３４６は、操作可能に設置でき、取り外し可能であり、ハウジング３４２から取替え可能である。
【００８２】
図３９に実施例のフィルタエレメント３４６の分解組立図を示す。図示されたフィルタエレメント３４６は、管状形状部４３７を有する第１フィルタ媒体４３６を備える第１媒体構造物３４８を含んでいる。「管状形状部」によって、第１フィルタ媒体が開いていて中空の内部４３８を有する、閉じている周辺部を有することを意味する。管状形状部４３７は、一般に、筒状または非筒状であり得る。示された実施例では、第１フィルタ媒体４３６の管状形状部４３７は、丸くなく、特に、非円形あるいは楕円形である。第１フィルタ媒体４３６として多くの異なる種類のフィルタ媒体を使用することができるが、一般に、媒体４３６は、フィルタ媒体を通って半径方向に流れるように配置されている。半径方向の流れに対する１つの使用可能な種類の媒体は、ひだ付き媒体４４０である。ひだ付き媒体４４０は、第１媒体構造物３４８を通過する燃料から水を分離するために疎水性コーティングされた媒体を含む。他の種類のシステムでは、フィルタ設計者によって選択された他の種類の媒体を使用することができる。
【００８３】
第１媒体構造物３４８は、更に、図示された実施例において、第１フィルタ媒体４３６を保持または支持する外側ライナー４４２を含む。外側ライナー４４２は、ひだ付き媒体４４０を使用するときにひだが崩れるのを防ぐのを助ける。外側ライナー４４２は、示された実施例において、一般に、第１フィルタ媒体４３６の外部４４５を取り囲むグリッドである。好適な実施例では、外部４４５は、濾過されるべき流体がフィルタ内部４３８から第１フィルタ媒体４３６を通るときに、第１フィルタ媒体４３６の下流面となる。
【００８４】
示された実施例では、第１媒体構造物３４８は、下部端部キャップ４４８も含んでいる。下部端部キャップ４４８は、ひだ付き媒体４４０の端部４４９に固定されている。対向する端部４５０は、端部キャップ構造物４５２に固定されており、端部キャップ構造物４５２は、第１媒体構造物３４８と第２媒体構造物３５０との間で軸方向に配置されている。下部端部キャップ４４８は、開口４５４を定める開いた端部キャップである。開口４５４は、第１媒体構造物３４８が下部ハウジング３６４の内部コンポーネント３５８を取り囲むように上方および周辺に配置可能となることを許容する。すなわち、開口４５４は、内部コンポーネント３５８が開いているフィルタ内部４３８内に配置されるように、第１媒体構造物３４８が内部コンポーネント３５８の上方および周辺に適合されるのを可能にする。
【００８５】
第２媒体構造物３５０は、上記説明したように、軸方向に第１媒体構造物３４８と一直線上に並んでいる。第２媒体構造物は第２フィルタ媒体４５６を含んでいる。示された実施例では多くの異なるフィルタ媒体を使用することができるが、第２フィルタ媒体４５６は、軸方向流れのために配置され、第２フィルタ媒体４５６の対向する端部に配置されている入口と出口とを有する。示された配置において、第２フィルタ媒体４５６は、軸方向端部４５８に入口と、対向する軸方向端部４６０に出口端部とを有する。
【００８６】
示された実施例では、第２フィルタ媒体４５６は、軸方向の流体流れに対して配置されたひだ付きでない媒体を有する。そのような媒体は、例えば、米国特許第６,７８３,５６５号で記載され、参照により本明細書に合体されるＺ型フィルタ媒体を含むことができる。あるいはまた、第２フィルタ媒体４５６は、らせん状に積層されるまたは巻き上げられているろ過材料の複数の層を含むことができる。複数の層の各層はスクリーンによって分離されており、対向する併存する軸方向の２つの端部は、２００６年６月１２日に出願され、共に譲渡され本明細書に参照により合体された米国仮出願第６０/８０４,４７７号に記載されたようなクローザーで遮蔽されている。図４１で示される実施例において、移送ポンプの下流または加圧側上の燃料などの清浄にされるべき流体は、第２入口ポート４２６を通ってハウジングに入り、第２入口流路３９８（図３７、３８、５０、および５１）を通って流れ、第２媒体構造物３５０の入口端部４５８まで運ばれる。次に、清浄にされるべき燃料は、媒体４５６の閉じてなく、開いている軸方向の端部を通って流れる。流体は、媒体４５６を通って流れ、出口端部４６０で、閉じていなくて、開いている軸方向端部から出る。そこから、清浄にされた燃料は、第２出口流路４３２（図３７と５２）を通って運ばれ、第２出口ポート４３０（図５４）を通って出る。
【００８７】
第１媒体構造物３４８と第２媒体構造物３５０は、互いに流体的に隔離されている。用語「流体的に隔離される」によって、第１媒体構造物３４８と第２媒体構造物３５０を通って流れる流体は、少なくともフィルタ媒体によって分離されており、一方、第１入口ポート４２０および第１出口ポート４２２は、第２入口ポート４２６および第２出口ポート４３０と完全に分離されている。
【００８８】
図３９に示される実施例において、第２フィルタ媒体４５６は、非円柱状形状を有する。特に、示された実施例では、その形状は、楕円形、非円形、または競馬場形状である。一般に、第２フィルタ媒体４５６の外側の周辺形状は、外形寸法が異なるかもしれないが、第１フィルタ媒体の外側周辺の形状と同じである。
【００８９】
フィルタエレメント３４６は、好適な実施例において、芯構造物４６２（図４１、４４、および４５）を更に含んでいる。芯構造物４６２は、示される実施例において、第２フィルタ媒体４５６によって取り囲こまれている。好ましい構成物では、芯構造物４６２は少なくとも１つの流体を運ぶ管状部材４６４を含んでいる。好適な実施例では、ポンプの加圧側の燃料などのような濾過されるべき流体は、第２入口流路３９８（図３７と３８）を通って運ばれ、流体を運ぶ管状部材４６４を通り、次に、第２フィルタ媒体４５６の入口端部４５８を通る。図３９、４１、４１Ａ、４４、および４５で見られるように、流体を運ぶ管状部材４６４は、端部でネック４６６を有する。ネック４６６は、隣接部分と共にシールを形成するためのシール部材４６９、４７０（図４１Ａ）を保持するために溝４６７、４６８を定める。溝４６８とシール部材４７０の場合、シール５１４（図５０と５１）は端部キャップ構造物４５２とともに形成され、以下でさらに説明される。溝４６７とシール部材４６９の場合、第２フィルタ入口流路３９８（図３７と３８）でシール５１５（図５０、５１）が形成される。
【００９０】
流体を運ぶ管状部材４６４は、示された実施例（図４５）において、芯構造物４６２の端部から端部まで完全な貫通ホールまたは流路を形成する。
【００９１】
図４５では、芯構造物４６２は、一般に、外壁４６３と内壁４６５とを有し、流体を運ぶ管状部材４６４を形成するのを補助する。流体を運ぶ管状部材４６４に加えて、好適な実施例では、芯構造物４６２は、ボルトを受け入れる管状部材４７２（図４０、４１、４４、４５、および５０）を定める。ボルトを受け入れる管状部材４７２は、対向する軸方向端部４７３および４７４から完全な貫通ホールを定める。ボルトを受け入れる管状部材４７２は、操作可能にハンドルおよび本明細書で実施されたようなカバー３４４から突き出ているボルト４０６（図４７と５０）を受け入れる。図５０の実施例で示されたように、ボルト４０６は、ボルトを受け入れる管状部材４７２を通過することによって第２媒体構造物３５０を通過することが可能となる。次に、ボルト４０６は、ハウジング３４２をソケットに接続することが可能となる。
【００９２】
ボルトを受け入れる管状部材４７２はその端部でネック４６６と連絡している。ネック４６６は、管状部材４６４と４７２の両方を取り囲み連絡している。
【００９３】
図４４と４５で見ることができるように、芯構造物４６２は、非円形の周囲、例えば、非円形または競馬場の周囲を有する。第２フィルタ媒体４５６に対する他の形状が望ましい場合には、芯構造物４６２の形状を変更することができる。
【００９４】
フィルタエレメント３４６は、さらに、第１および第２媒体構造物３４８、３５０を取り囲むシール部材４８２、４８７を含んでいる。フィルタエレメント３４６は、ハウジング３４中に操作可能に設置されているとき、シール部材４８２と４８７は、フィルタエレメント３４６と、ハウジング壁３５２と、カバー３４４との間で、それぞれシール４８３と４８９を形成する。示された実施例では、シール部材４８２は、ピンチシール４８３を形成し、シール部材４８７はカバー３４４とハウジング３４２との間で軸方向圧縮によってピンチシール４８９（図５０と５１）を形成する。実施例では、シール部材４８２、４８７は、ゴム、圧縮性のポリウレタン・フォーム、および他の適当な材料から作ることができる。好適な実施例では、シール部材４８２、４８７は、端部キャップ構造物４５２によって保持されて支持されている。
【００９５】
ここで、端部キャップ構造物４５２について、詳細に説明する。端部キャップ構造物４５２の好適な実施例が図３９〜４３に示される。示された端部キャップ構造物４５２は、外側バンド４８４の対向する側部４８６、４８８上にシール部材４８２、４８７をそれぞれ保持する前記外側バンド４８４を含んでいる。図４１で示された特定の実施例では、シール部材４８２、４８７は、断面がＯリングなどのように円形である。フィルタエレメント３４６がハウジング３４２中に操作可能に設置されるとき、カバー３４４のフランジ４１６は第１側部４８６と係合し、ハウジング３４４のリム３９２は第２側部４８８と係合する。リム４１８はシール部材４８２と係合する。ボルトヘッド４１０を回転すると、ボルト４０６を回してソケット４０４中のねじ山４０５を係合し、カバー３４４をハウジング３４２に対して軸方向に動かす。これは、カバーフランジ４１６と、シール部材４８２と、シール部材４８７と、ハウジング３４２のリム３９２の間の圧縮力をもたらす。端部キャップ構造物４５２のバンド４８４は、これらの軸方向力に対してシール部材４８２、４８７を支えるために保持する。この軸方向圧縮は、カバー３４４とハウジング３４２の間でシール部材４８２、４８７と共にシール４８３、４８９を形成する。
【００９６】
図３９、４３において、端部キャップ構造物４５２は、ひだ付き媒体４４０の端部４５０を保持するために機能する１組の壁４９２、４９３を定める。壁４９２は、一般に外壁であり、壁４９３を取り囲む。これらの壁は、ひだ付き媒体４４０の端部４５０を支え、端部キャップ構造物４５２に媒体４４０のひだの端部を固定して、固定する接着剤または埋込用樹脂または他の種類の方法を保持することができる。
ふたをしている。
【００９７】
図４０はフィルタエレメント３４６の底面図を示す。図４０において、端部キャップ構造物４５２のある特徴を見ることができる。特に、端部キャップ構造物４５２は、一般に平らな第１表面４９６と反対の第２表面４９８（図４２）を有する。端部キャップ構造物４５２は、芯構造物４６２の少なくとも１つの流体を運ぶ管状部材４６４を収容する少なくとも１つのホール５００を定める。特に、ホール５００は、管状部材４６４と４７２がホール５００によって取り囲まれホールを通って連絡している芯構造物４６２のネック４６６を収容する。図４１に示されたように、シール部材４７０は、端部キャップ構造物４５２とホール５００を通るネック４６６との間で半径方向シール５１４（図４１Ａ、５１）を形成する。
【００９８】
好ましい構成物では、端部キャップ構造物４５２は、第２媒体構造物４５６によって濾過された流体を運ぶためにさらに少なくとも１つの出口ホール５０４を含んでいる。示された実施例では、端部キャップ構造物４５２は、平らな第１表面４９６から延びている管５０６を含んでいる（図４１〜４３）。管５０６は、端部キャップ４５２の第２表面４９８から端部キャップ４５２を通って流体を運ぶために貫通ホール５０４を定める。管５０６は、第２出口流路４３２（図３７と５２）に操作可能に、取り外し可能に接続している。図４３において、管５０６と第２出口流路４３２との間で解放可能なシール５２０（図５２）を形成するために、管５０６がどのようにシール部材５０８を保持しているかを見ることができる。
【００９９】
ここで、図４１、４１Ａを参照すると、端部キャップ構造物４５２はさらに媒体スタンドオフ５１０を含んでいる。媒体スタンドオフ５１０は、端部キャップ構造物４５２の第２表面４９８全体にわたってかつ上方に第２フィルタ媒体を支えて保持している。これは、濾過された流体が下流端部４６０を出て、媒体４５６の端部４６０と第２表面４９８との間で定められた容積中に集められることを可能する。次に、下流の端部４６０を出てこの領域に集められる濾過された液体は、ホール５０４を通って、管５０６を通って、第２出口に４３２を通って流れ、第２出口４３０を通って出る。そこから、流体は、燃料噴射器システム３６（図２）によって使用される。
【０１００】
好適な実施例では、カバー３４４は取り外し可能にフィルタエレメント３４６に接続される。特に、端部キャップ構造物４５２とカバー３４４との間にラッチ機構５４０がある。端部キャップ構造物４５２は、各フランジがカバー３４４上に対応するキャッチ５４４を係合する１組の突出したたわみ可能なフランジ５４８を有する。カバー３４４はキャッチ５４４を形成する１組のポケット５４６を定める。フック５４２は、ポケット５４６中にそれぞれのキャッチ５４４を係合する。エレメント３４６とカバー３４４との間の係合は、整備点検の間、カバー３４４とともに取り除くするためのエレメント３４６を可能する。次に、フック５４２とキャッチ５４４を取り外すためにフランジ５４８をたわむことによって、カバー３４４からエレメント３４６を取り除くことができる。
【０１０１】
ある応用において、燃料を加熱することは、特に、燃料がジーゼル燃料である場合には有効である。燃料を加熱するためにさまざまな方法を実施することができる。第１の実施例では、シリンダヘッドを通過して循環する暖かい燃料は、燃料と第２流体入口流路３９８とが「熱い」ポートであるような第２流体入口ポート４２６から入る。燃料は次に下部ハウジング鋳造部３６４を加熱する。冷たいタンクからの燃料は、流体流路４００で同じ下部ハウジング鋳造部３６４を通って流れ込み、「熱い」ポート４２６、３９８を取り囲む。これは、多管式熱交換器と同様に入って来る燃料を加熱し作動する。第２の実施例では、シリンダレールから第１フィルタ３４８に燃料を循環させるために、下部ハウジング鋳造部３６４でワックスバルブをハウジング中に設置することができる。別の実施例では、冷たい燃料タンクから燃料が構成物３４０に入るときに、電気ヒータが燃料を加熱するために入口４２０に隣接して使用される。
【０１０２】
Ｇ．  方法
フィルタ構成物３４０はさまざまな流体を濾過するのに使用することができる。流体は、フィルタ上流のポンプとフィルタ下流のポンプがあるどんな種類のシステムでもあり得る。例示の実施例は燃料システムのためのものである。燃料システムにおいて燃料を濾過するために、燃料は燃料タンク３２から第１フィルター２４に吸引され、そこで水が分離され、少なくともいくらかの微粒子が取り除かれる。示された実施例では、燃料は、フィルタ構成物３４０に入って第１入口ポート４２０を通り、燃料は入口流路４０２を通って運ばれる。そこから、燃料は第１フィルタ媒体４３６の開いているフィルタ内部４３８を流れる。水はフィルタ媒体４３６によって燃料から分離される。水は、流路５２２（図５３）を通って下向きに排水され、水の収集領域３８６のボウル３６２中に集められる。水センサー３８３は、フィルタ構成物３４０から水を除去するための時間であることを検出し、排水電磁弁３８２は、フィルタ構成物３４０から水を取り除くために作動する。
【０１０３】
燃料は、フィルタ媒体４３６を通過し、次に、第１出口ポート４２２を通って吸引される。そこから、燃料は、移送ポンプを通過し、次に、第２入口ポート４２６（図３１、３６）を通って押し出される。燃料は、第２入口ポート４２６から第２入口流路３９８（図３７、３８、５０、５１）を通り、流体を運ぶ管状部材４６４を通り、第２フィルタ媒体４５６の上流側４５８まで流れる。そこから燃料は、軸方向に流れて媒体４５６を通り、出口端部４６０を通って下方に出る。次に、濾過された燃料は、出口端部４６０と端部キャップ構造物４５２の第２表面４９８との間の領域に集まる。次に、濾過された燃料は出口管５０６のホール５０４を通って流れ、次に、第２出口流路４３２（図５２）を通って流れる。そこから、燃料は第２の出口ポート４３０（図３３、５４）を通ってハウジング３４２を出る。次に、濾過された燃料は、燃料噴射器システム３６（図２）によって使用される。
【０１０４】
定期的に、フィルタ構成物３４０は、点検整備する必要がある。フィルタ構成物３４０を点検整備するために、カバー３４４はハウジング３４２から取り外され、ハウジング３４２からフィルタエレメント３４６が取り外される。ハウジングからフィルタエレメントを取り除く工程は、例示の実施例において第１媒体構造物３４８および第２媒体構造物３５０から第１媒体と第２媒体とを同時に取り外す工程を含む。ハウジング３４２からフィルタエレメント３４６を１工程で取り除くする工程は、エレメント３４６をカバー３４４に接続するラッチング部材５４０により、カバー３４４とエレメント３４６とを取り外す工程を含む。
【０１０５】
カバー３４４を取り外す工程は、ボルト４０６を回転するためにボルトヘッド４１０を回転する工程を含み、この工程はカバー３４４をハウジング３４２から軸方向に離して戻す。これは、カバー３４４とハウジング３４２との間の圧縮を解放し、カバー３４４のリム４１６とシール部材４８２、４８７とハウジング３４２のリム３９２との間のシール４８３、４８９を解放する。ボルトヘッド４１０を回転すると、ボルト４０６は回転して第２媒体構造物３５０を通ってハウジング３４２中のネジ受けあるいはソケット４０４に延びる。これは、カバー３４４とハウジング３４２との間の軸方向シール４８３、４８９を解放する。
【０１０６】
フィルタエレメント３４６がハウジング３４２からを取り除かれると、第１媒体構造物３４８は、ポンプ構成物３６０の周囲および流体流路３９８、４０２、４３２を含む内部コンポーネント３５８の周囲から取り除かれる。次に、フィルタエレメント３４６は捨てられ、新しいフィルタエレメント３４６に取り替えられる。新しいフィルタエレメント３４６は、ポンプ構成物３６０および流体流路３９８、４０２および４３２を含む内部コンポーネント３５８を取り囲むように、開口３５６を通過し開いているフィルタ内部４３８の周辺に向けることによって操作可能にハウジング３４２内に設置される。第１媒体構造物３４８は、フィルタシート３９４内に操作可能に向けて配置される。シール部材４８２、４８７は、カバー３４４とハウジング３４２のリム４１６、３９２に対してそれぞれ収容される。
【０１０７】
ハウジング３４２中に操作可能にフィルタエレメント３４６を向けて配置する工程の間に、シール５１５を形成するためにシール部材４６９を使用してネック４６６と第２フィルタ入口流路３９８の間で接続がなされる。さらに、シール５２０を形成するためにシール部材５０８で管５０６と第２出口流路４３２との間で接続がなされる。
【０１０８】
カバー３４４は、フィルタエレメント３４６の上方に操作可能に向けて配置される。カバー３４４は、第２媒体構造物３５０の上方に配置される。カバー３４４のフランジ４１６は、シール部材４８２に対して設置される。ボルトヘッド４１０が回転されると、ボルト４０６上のねじ山４１２とソケット４０４内のねじ山４０５との間でねじによる係合を引き起こす。これは、フランジ４１６とリム３９２の間でシール部材４８２、４８７の圧縮を引き起こして軸方向のシール４８３、４８９を形成するようにハウジング３４２に対して軸方向にカバー３４４を動かす。
【０１０９】
フィルタエレメント３４６は、エレメント３４６のフック５４２をカバー３４４のキャッチ５４４に係合することによってカバー３４４に接続され、次に、カバー３４４のアセンブリとエレメント３４６は、ハウジング３４２内に操作可能に設置される。
【０１１０】
ここで、フィルタ構成物３４０は、ろ過操作のために使用可能である。
【０１１１】
Ｈ．  フィルタ構成物の別の実施例  図５５〜７２
図５５は、別の実施例のフィルタ構成物６４０の分解斜視図を示す。フィルタ構成物６４０は、図２の燃料システム２２中で使用可能であるが、他の種類のシステムでもまた使用することができる。図５５において、取り外し可能なカバー６４４を有するハウジング６４２は、フィルタエレメント６４６を含んで示されている。フィルタエレメント６４６は、ハウジング６４２から取り外されて示されており、カバー６４４は、ハウジング６４２とフィルタエレメント６４６との両方から取り外されて示されている。
【０１１２】
フィルタ構成物６４０は、図３１〜５４のフィルタ構成物３４０と同様であるが、フィルタ構成物６４０は、整備点検の間に、流体（例えば、燃料）の有利な排水を可能にするための追加の特徴がある。図３１〜５４に関して記載されたコンポーネントの多くは、図５５〜７２の実施例と同じであり、それらの記載は本明細書中で参照により合体される。それらのコンポーネントの概要が以下に記載される。排水システムに関する特徴のより徹底的な議論を以下で議論する。
【０１１３】
前の実施例と同じように、フィルタエレメント６４６は、一般に、第１媒体構造物６４８と第２媒体構造物６５０とを含んでおり、第１および第２媒体構造物６４８、６５０は軸方向に直線上に並べられている（一方が他方の上に積層されている）。この実施例では、前の実施例と同じように、第２媒体構造物６５０は、第１媒体構造物６４８の上に積層されている。さらに、前の実施例と同じように、第１媒体構造物６４８と第２媒体構造物６５０は互いに流体的に隔離されている。
【０１１４】
ハウジング６４２は、ハウジング内部６５４を定める外壁６５２を含んでいる。ハウジング６４２は、フィルタエレメント６４６が挿入されかつ取り外されることを可能にするアクセス開口６５６を有する。カバー６４４がハウジング６４２から取り外されると、アクセス開口６５６が露出して、フィルタエレメント６４６が露出する。
【０１１５】
図５９において、ある内部コンポーネント６５８が示されている。示された実施例において、内部コンポーネント６５８のあるものは、ポンプ構成物６６０、下部ハウジング６６４、および水センサーおよび弁アセンブリ６８４（図５８）を含む。
【０１１６】
下部ハウジング６８４は、外壁６５２内に受け入れられ、外壁６５２と下部ハウジング６６４は、ボルト６６５などの締め具で一緒に固定されている。また、図５８では、水センサーは参照番号６８３で示される。ポンプ構成物６６０は、第１ポンプ、移送ポンプ、または両方の組合せである。この実施例では、ポンプ構成物６６０は第１ポンプ６７４として作動する。
【０１１７】
ここで、ハウジング６４２中の入口と出口構成物について説明する。第１入口ポートが図５５と図５７〜５９で７２０として示されている。第１入口ポート７２０は、第１フィルタ入口流路７０２（図５９）と流体流れで連絡している。第１入口ポート７２０は、燃料タンク３２（図２）とも流体流れで連絡しており、燃料は、燃料タンク３２から第１入口ポート７２０および第１フィルタ入口流路７０２中に吸引される。そこから、燃料は、第１媒体構造物６４８まで運ばれるが、以下でさらに説明する。
【０１１８】
第１出口ポート７２２（図５５〜５７と図７２）は、ハウジングによって定められる。燃料が第１媒体構造物６４８を通過した後に、濾過された燃料は、第１出口ポート７２２を通過する。この実施例では、第１媒体構造物６４８によって濾過された燃料は、ハウジング６４２の外に出て移送ポンプに流れる。他の実施例では、ポンプ構成物６６０が第１ポンプと移送の両方として作動するとき、次に、濾過された燃料は、ハウジング６４２を出る必要はない。
【０１１９】
ハウジング６４２は、さらに、第２入口流路６９８（図７１）と流体流れで連絡している第２入口ポート７２６（図５８）を含んでいる。燃料は、移送ポンプから第２入口ポート７２６を通って第２フィルタ入口流路６９８に入り、第２媒体構造物６５０まで流れるが、以下でさらに説明される。
【０１２０】
ハウジング６４２は、第２出口ポート７３０（図５８）をさらに含んでいる。燃料は、移送ポンプから第２入口ポート６２６を通過し、第２入口流路６９８（図７１）を通過し、第２媒体構造物６５０を通過し、出口流路７３２（図７１）を通過して流れ、第２出口ポート７３０を通過してハウジングを出る。第２出口ポート７３０から、濾過された流体は燃料噴射システム３６（図２）に流れる。
【０１２１】
図５５と図５９〜６１に示されたフィルタエレメントは、上記説明されたフィルタエレメント３４６に類似しており、以下で説明される、排水構造物に関する２つの特徴である唯一の例外を有する。排水構造物に関する特徴は、芯構造物７６２中に組み込まれるが、さらに以下で説明される。
【０１２２】
フィルタエレメント３４６に対して上記説明されたように、フィルタエレメント６４６は、非円形であり、特に、非円形または楕円形である。第１媒体構造物６４８の第１フィルタ媒体７３６は、さまざまな種類のものであり得るが、例示の実施例では、半径方向の流れに対して配置され、ひだ付き媒体７４０を使用する。第１媒体構造物６４８は、外部７４５を取り囲むグリッド７４４として埋め込まれた外側ライナー７４２を含み、外側ライナー７４２は一般に第１フィルタ媒体の下流側に配置される。また、第１媒体構造物６４８は、第１媒体構造物に固定されている下部端部キャップ７４８と、対向する端部で、端部キャップ構造物７５２を含んでいる。端部キャップ構造物７５２は、第１媒体構造物６４８と第２媒体構造物６５０との間で軸方向に配置されている。
【０１２３】
第２媒体構造物６５０は第２フィルタ媒体７５６を含む。一方、さまざまなフィルタ媒体が使用可能であり、好適な実施例において、第２フィルタ媒体７５６は、軸方向流れに入口を持って配置され、出口は対向する軸方向の端部に配置されている。示された構成物において、第２フィルタ媒体７５６は、軸方向端部７５８に入口端部を有し、対向する端部７６０に出口を有する。第２フィルタ媒体７５６は、好ましくは、媒体４５６と関連して上記説明したような種類であり、その記載は、参照により本明細書中に合体される。
【０１２４】
この実施例において、前の実施例の場合と同様に、第１媒体構造物６４８と第２媒体構造物６５０は、互いに流体的に隔離されている。フィルタエレメント６４６は、芯構造物７６２（図６８と６９）を含んでいる。示された実施例では、芯構造物７６２は、入口流体を運ぶ管状部材７６４を含んでいる。好適な実施例では、ポンプの加圧側上の燃料などのような濾過されるべき流体は、第２入口流路６９８（図７１）を通って、流体を運ぶ管状部材７６４を通って、次に、第２フィルタ媒体６５０の入口端部７５８まで運ばれる。流体を運ぶ管状部材７６４は、隣接部分と共にシールを形成するために、シール部材７６９、７７０を保持するネック７６６を有する。流体を運ぶ管状部材７６４は、芯構造物７６２の端部７７３から端部７７４まで完全な流路を形成する。
【０１２５】
芯構造物７６２は、外壁７６３と内壁７６５とを有し、流体を運ぶ管状部材７６４を形成するのを助ける。前の実施例の場合と同様に、流体を運ぶ管状部材７６４に加えて、好適な実施例では、芯構造物７６２は、ボルトを受け入れる管状部材７７２を含んでいる。ボルトを受け入れる管状部材７７２は、対向する軸方向の端部７７３、７７４から完全な貫通ホールを定める。ボルトを受け入れる管状部材７７２は、カバー６４４から突き出ているボルト７０６を操作可能に受け入れる。ボルト７０６は、ボルトを受け入れる管状部材７７２を通過することによって第２媒体構造物６５０を通過することが可能となる。次に、ボルト７０６は、ソケット７０４（図５９）に接続することが可能となる。ネック７６６は、ボルトを受け入れる管状部材７７２と流体を運ぶ部材７６４との両方を取り囲む。
【０１２６】
この実施例では、芯構造物７６２は、整備点検の間に、フィルタ構成物６４０の排水のために用意されたものを含んでいる。図６６〜６９において、芯構造物７６２は、プラグ部材８５４を有するものとして示されている。プラグ部材８５４は、突出しているネック７６６の軸方向部分から突出している。プラグ部材８５４は、第２排水部材ポート８５６（図５９と７１）に受け入れられ、操作可能に適合している。プラグ部材８５４は、第２排水部材ポート８５６とシールを形成するＯリングシール部材８５８を有する。
【０１２７】
フィルタエレメント６４６は、前に説明された実施例における第１および第２媒体構造物３４８、３５０を取り囲むシール部材４８２、４８７と同様に、第１および第２媒体構造物６４８、６５０を取り囲むシール部材７８２、７８７を含む。シール部材７８２、７８７シールは、フィルタ構成物３４０の前の実施例と同じ方法でシールされる。シール部材７８２、７８７は、端部キャップ構造物７５２によって保持され支持されている。
【０１２８】
端部キャップ構造物７５２は、端部キャップ構造物４５２に類似していて、一般に、同じ特徴を含んでいる。端部キャップ構造物４５２に関するそれらの特徴の記載は、端部キャップ構造物７５２に関して本明細書中に参照することにより合体する。端部キャップ構造物７５２は、芯構造物７６２のネック７６６を収容するホール８００を含んでいる（図６２、６５）。図６４では、端部キャップ構造物７５２とホール８００を通過するネック７６６との間で半径方向シール８１４をシール部材７７０がどのように形成するかを見ることができる。
【０１２９】
端部キャップ構造物７５２は、第２媒体構造物７５６によって濾過された流体を運ぶために出口ホール８０４を含んでいる。端部キャップ構造物７５６は、端部キャップ構造物７５２の第２表面７９８から端部キャップ構造物７５２を通過する流体を運ぶためにホール８０４を定める管８０６を含んでいる。管８０６は、第２出口流路７３２（図７１）に操作可能に取り外し可能に接続されている。管８０６は、この実施例で、第２出口流路７３２とともに解放可能なシール５２０（図５２）に類似している解放可能なシールを形成するためにシール部材８０８を保持している。
【０１３０】
端部キャップ構造物７５２は、さらに媒体スタンドオフ８１０（図６５）を含んでいる。媒体スタンドオフ８１０は、端部キャップ構造物７５６の第２表面全体にわたってかつ上方に第２フィルタ媒体７５６を支持し保持している。これは、濾過された流体が下流端部７６０を出て、端部７６０と第２表面７９８との間で定められた容積中に集められることを可能する。次に、濾過された液体は、ホール８０４を通過し、管８０６を通過し、第２出口流路７３２を通過して流れて、第２出口ポート７３０を通過して出る。そこから、燃料は燃料噴射器システム３６（図２）によって使用される。
【０１３１】
カバー６４４は、カバー３４４に類似していて、上記説明したラッチ機構５４０と同様にラッチする。ラッチ機構５４０の説明は、この実施例に対するラッチ機構に関して本明細書中に参照として合体する。
【０１３２】
ここで、注意を図５９と６１に向ける。第１プラグ部材８６０は、第１媒体構造物６４８の下部端部キャップから軸方向に突き出ている。第１プラグ部材８６０は、前に説明された実施例と異なる排水構造物に関する特徴の一部である。第１プラグ部材８６０は、Ｏリングシール部材８６２を含み、第１排水ポート８６４（図５９）によって収容される。
【０１３３】
作動において、フィルタ構成物６４０の通常のろ過は、フィルタ構成物３４０のろ過に類似している。そういうものとして、燃料は燃料タンク３２（図２）から第１入口ポート７２０まで吸引され、そこで、燃料は入口流路７０２を通って運ばれる。そこから、燃料は第１フィルタ媒体７３６の開いているフィルタ内部７３８中に流れる。水は、フィルタ媒体７３６によって燃料から分離される。水は、前の実施例と類似の方法で下方に排水され、水センサー６８３は、フィルタ構成物６４０から水を除去するべき時間であることを検出すると、電磁弁アセンブリ６８４は、フィルタ構成物６４０から水を取り除くために作動する。燃料は、フィルタ媒体７３６を通過し、第１出口ポート７２２を通して吸引される。そこから、燃料は、移送ポンプを通過し、次に、第２入口ポート７２６を通過して押し出される。燃料は、第２入口ポート７２６から第２入口流路６９８（図７１）を通過し、流体を運ぶ管状部材７６４を通過し、第２フィルタ媒体７５６の上流側７５８まで流れる。そこから、燃料は、出口端部７６０を通過して軸方向に流れて、出口端部７６０を通って下向きに出る。次に、濾過された燃料は、出口端部７６０と端部キャップ構造物７５２の第２表面７９８との間の領域に集まる。次に、濾過された燃料は、出口管８０６のホール８０４を通過し、次に、第２出口流路７３２（図７１）を通って流れる。そこから燃料は、出口ポート７３０を通過してハウジング６４２を出る。次に、濾過された燃料は、燃料噴射器システム３６（図２）によって使用される。
【０１３４】
定期的に、フィルタ構成物６４０は、点検整備する必要がある。フィルタ構成物６４０を点検整備するために、カバー６４４はハウジング６４２からを取り外され、フィルタエレメント６４６は、ハウジング６４２から取り外される。ハウジング６４２からカバー６４４を取り外す工程は、上記説明されたハウジング３４２からカバー３４４を取り外す工程に類似している。この実施例において、上記説明されたように、整備点検の間に、有利な排水のための特徴がある。フィルタエレメント６４６がハウジング６４２から取り外される場合、排水ポート８５６、８６４は他のポートの前に解放される。このことは、カバー６４４中の第２フィルタ媒体７５６が燃料を放出する前にタンク３２中に燃料が戻って避難するのを可能する。このことは、大容積の燃料がカバー領域６４４およびアセンブリからハウジング６４２に入ることを防ぐためになされる。Ｏリングシール部材８５８とＯリングシール部材８６２によって生み出されたシールは、システムの他のあるシールが解放される前に、解放される。例えば、端部キャップ構造物７５２とカバー６４４との間のシール部材７８２によって生み出されたシールと同様に半径方向のシール８１４（図６４）は元の状態のままであるが、プラグ部材８５４の上のシール部材８５８と第２排水部材ポート８５６との間のシールは、シール部材８６２と第１排水ポート８６４との間のシールと共に解放される。カバー６４４が続いてハウジング６４４から取り外されるとき、システム中の残っているシールが解放されて、カバー６４４中に残っている燃料は放出されて、ハウジング６４２中で捕集される。次に、カバー６４４とフィルタエレメント６４６は、処分位置まで取り外ずされる。ハウジング６４２に残っているいかなる燃料もまた排液される。
【０１３５】
整備点検の残っている工程は、フィルタ構成物３４０に関して上記説明した工程に類似しており、その説明は参照により本明細書中に合体される。
【０１３６】
Ｉ.  底部から装着する実施例  図７３〜８０
図７３〜８０は、別の実施例をフィルタ構成物９００で示している。この実施例では、フィルタ構成物９００は底部から装着する実施例である。前に説明された実施例は、頭部から装着する構成物（top-load arrangement）である。頭部充填構成物では、フィルタ構成物は、頭部からアクセスすることによって、しばしば、乗り物のフードを上げて、エンジンの上方からフィルタ構成物にアクセスすることによって、点検整備される。底部から装着する構成物（bottom-load arrangement）では、エンジンの真下または下からフィルタ構成物にアクセスする。図７３〜８０に示されるフィルタ構成物９００は、図３１〜５４のフィルタ構成物３４０と逆さである点を除いて非常によく似ているが、流路中に他のある変化がある。
【０１３７】
図７３は、フィルタ構成物９００の分解斜視図である。図７３において、フィルタハウジング９０２、カバー９０４、およびフィルタエレメント９０６を見ることができる。カバー９０４とフィルタエレメント９０６は、以前に説明されたカバー３４４とフィルタエレメント３４６と同じである。しかしながら、図７３で見ることができるように、フィルタ構成物９００は、図３１に示される構成物と逆さである。図３１では、第１媒体構造物３４８は第２媒体構造物３５０の下にあったが、この実施例では、それは正反対である。すなわち、第１媒体構造物９０８は第２フィルタ構造物９１０の上方にある。
【０１３８】
さらに図７３を参照すると、フィルタハウジング９０２は、第１入口ポート９２０、第１出口ポート９２２、第２入口ポート９２６、第２出口ポート９３０、および水の浄化/排水ポート９３４を含んでいる。燃料タンク３２（図２）から濾過されるべき燃料は、第１入口ポート９２０を通ってフィルタ構成物９００に入り、第１媒体構造物９０８を通過して流れ、次に、第１出口ポート９２２を通過してハウジング９０２を出る。第１フィルタエレメント構造物９０８は、前の実施例で上記説明されたのと同様の方法で作動する。第１媒体構造物９０８は燃料から微粒子と水を除去する。水は、燃料から除去され排水ホール９３４に向けて送られる。濾過された燃料は第１出口ポート９２２に向けられて通過する。そこから、燃料は、移送ポンプを通過し、次に、第２入口ポート９２６に押し出されて通過する。燃料は、第２入口ポート９２６から第２媒体構造物９１０を通過し、次に、第２出口ポート９３０を通過して流れる。そこから、濾過された燃料は、燃料噴射器システム３６（図２）によって使用される。
【０１３９】
図７４〜７６は、組み立てられたフィルタ構成物９００の外部図を示している。カバー９０４が前の実施例と類似の方法でどのようにハウジングに９０２に固定されているかを見ることができる。
【０１４０】
図７７では、水センサー９３６を見ることができる。水センサー９３６は、水収集チャンバ９３８中に集められた水レベルを検知または検出する。水が燃料から第１媒体構造物９０８によって分離されると、水は水収集チャンバ９３８中に集まる。水センサー９３６は、水レベルを検知する位置に配置され水レベルを検出する。
【０１４１】
図７８において、ポンプ９４２を見ることができる。また、図７８で、圧力駆動の逆止弁９４４を見ることができる。燃料は、燃料が第２媒体構造物９１０を出るとき、第２媒体構造物９１０から端部キャップ構造物９５０中のホール９４８を通過し、第２出口流路９５２を通過し、出口ポート９３０を通過して流れ、矢印９４７で見ることができる。逆止弁９４４は約１５〜２０psiの圧力で作動する。
【０１４２】
図７９では、第１媒体構造物９０８を通過する燃料の流れを見ることができる。燃料は、第１入口ポート９２０を通過して構成物９００に入り、第１燃料入口流路９５４中に入る。矢９５６は、第１媒体構造物９０８を通過して燃料が濾過されたときの燃料の経路を示している。また、燃料が第２媒体構造物９１０に入るときの燃料の経路も図７９で見ることができる。燃料は、第２入口経路９５８に入り、矢９６０によって示される。燃料が第２媒体構造物９１０に達すると、例えば、図４５と４６で上記説明されたように、芯構造物中の中央の管を通過する。次に、燃料は、第２媒体構造物９１０を軸方向に流れて、ホール９４８（図７８）を出るが、そこでは、燃料が流路９５２を通過して流れて第２出口ポート９３０を通過して出る。
【０１４３】
図８０では、圧力で駆動する逆止弁９４４を見ることができる。さらに、水の浄化/排水ポート９３４に通じる流路９６２として、第２入口経路９５８を見ることができる。
【０１４４】
フィルタ構成物９００を点検整備するために、フィルタ構成物９００は下からアクセスされ、カバー９０４は取り外される。これは、好適な実施例では、ラッチによる接続によってカバーに取り外し可能に取り付けられている（例えば、図５０と５４で参照番号５４０で示されるように、フィルタエレメント９０６を取り除くこともできる）。次に、古いフィルタエレメント９０６は捨てられ、新しい交換フィルタエレメント９０６が提供されて、取り外し可能にカバー９０４に取り付けられる。次に、新しいフィルタエレメント９０６を有するカバー９０４は、ハウジング９０２内に操作可能に取り付けられ、フィルタ構成物９００は再び作動の準備が整う。
【図面の簡単な説明】
【０１４５】
【図１】先行技術の燃料フィルタシステムの概要を示す図である。
【図２】本開示の原理に基づいて構成されたシステムの概略図である。
【図３】本開示の原理に基づいて構成されたフィルタ構成物の第１実施例の分解斜視図である。
【図４】図３に示されるフィルタ構成物の正面図である。
【図５】図３に示されるフィルタ構成物の右側面図である。
【図６】図３で示されたフィルタ構成物とともに使用可能な内部コンポーネントを含むハウジングの斜視図である。
【図７】図６に示されたハウジングの代替の斜視図である。
【図８】内部コンポーネントを含む図６と７のフィルタハウジングの分解斜視図である。
【図９】図８の内部コンポーネントを含むフィルタハウジングの上部平面図である。
【図１０】図６〜８のフィルタハウジングと内部コンポーネントの断面図であり、図９のライン１０−１０に沿って得られる図である。
【図１１】図３のフィルタ構成物で使用可能なフィルタエレメントの分解斜視図である。
【図１２】図１１の組み立てられたフィルタエレメントの底面図である。
【図１３】図１２で示されたフィルタエレメントの断面図であり、図１２のライン１３−１３に沿って得られる図である。
【図１４】図１１〜１３のフィルタエレメント中で使用される端部キャップ構造物の平面図である。
【図１５】図１４で示された端部キャップ構造物の側面図である。
【図１６】図１１〜１３のフィルタエレメントによって利用される中央芯構造物の平面図である。
【図１７】図１６で示された中央芯構造物の断面図であり、図１６のライン１７-１７に沿って得られる図である。
【図１８】図３のフィルタ構成物と共に使用されるカバーの上部平面図である。
【図１９】図１８で示されたカバーの断面図であり、図１８のライン１９−１９に沿って得られる図である。
【図２０】図３で示されたハウジングの一部の斜視図である。
【図２１】図３のフィルタ構成物の上部平面図である。
【図２２】図２１のフィルタ構成物の断面図であり、図２１のライン２２-２２に沿って得られる図である。
【図２３】図２１のフィルタ構成物の断面図であり、図２１のライン２３-２３に沿って得られる図である。
【図２４】手動の排水バルブを有する水ボウルに代わって使用可能な、自動排水溝の代替の実施例の側面図である。
【図２５】図２４に示された自動排水溝の平面図である。
【図２６】図２４の自動排水の断面図であり、図２５のライン２６-２６に沿って得られる図である。
【図２７】カバーに接続されたエレメントを示す代替の実施例を有するフィルタ構成物の断面図であり、図３０のライン２７-２７に沿って得られる図である。
【図２８】図２７で示されたフィルタ構成物の部分拡大図であり、フィルタエレメントとカバーとの間の接続を示す図である。
【図２９】図２７と２８の実施例の斜視図であり、整備点検の間に、カバーの取り外しと共にエレメントが取り外される場合の工程を示す図である。
【図３０】図２７〜２９に示された実施例のフィルタ構成物の後部正面図である。
【図３１】本開示の原理に基づいて構成されたフィルタ構成物の第２実施例の分解斜視図である。
【図３２】図３１に示されるフィルタ構成物の正面図である。
【図３３】図３１に示されるフィルタ構成物の左側面図である。
【図３４】図３１で示されたフィルタ構成物で使用可能なハウジングカバーの斜視図である。
【図３５】図４２と４３で示され、図３９〜４１のフィルタエレメントと共に使用される端部キャップ構造物の斜視図である。
【図３６】内部のコンポーネントを含む図３７のフィルタハウジングの分解斜視図である。
【図３７】内部コンポーネントを含むフィルタハウジングの上部平面図である。
【図３８】図３６と３７のフィルタハウジングおよび内部コンポーネントの断面図であり、図３７のライン３８-３８に沿って取られた断面図である。
【図３９】図３１のフィルタ構成物で使用可能なフィルタエレメントの分解斜視図である。
【図４０】図３９の組み立てられたフィルタエレメントの底部平面図である。
【図４１】図４０で示されたフィルタエレメントの断面図であり、図４０のライン４１−４１に沿って得られる図である。
【図４１Ａ】図４１Ａは図４１に示されたフィルタエレメントの部分Ａ−Ａ部分拡大拡大断面図である。
【図４２】図３９〜４１のフィルタエレメント中で使用される端部キャップ構造物の平面図である。
【図４３】図４２で示された端部キャップの断面図であり、図４２のライン４３−４３に沿って得られる図である。
【図４４】図３９〜４１のフィルタエレメントによって利用される芯構造物の平面図である。
【図４５】図４４で示された芯構造物の斜視図である。
【図４６】図３１のフィルタ構成物と共に使用されるカバーの側面図である。
【図４７】図４６で示されたカバーの断面図であり、図４６のライン４７−４７に沿って得られる図である。
【図４８】図３１に示されたハウジングの一部の斜視図である。
【図４９】図３１のフィルタ構成物の平面図である。
【図５０】図４９のフィルタ構成物の断面図であり、図４９のライン５０−５０に沿って得られる図である。
【図５１】図４９のフィルタ構成物の断面図であり、図４９のライン５１-５１に沿って得られる図である。
【図５２】図４９のフィルタ構成物の断面図であり、図４９のライン５２-５２に沿って得られる図である。
【図５３】図４９のフィルタ構成物の断面図であり、図４９のライン５３-５３に沿って得られる図である。
【図５４】図３２と３３のフィルタ構成物の斜視図である。
【図５５】本開示の原理に基づいて構成されたフィルタ構成物の別の実施例の分解斜視図である。
【図５６】図５５で組み立てられた形態で示されたフィルタ構成物の右側面図である。
【図５７】図５６で示された組み立てられたフィルタ構成物の正面図である。
【図５８】図５６で示されたフィルタ構成物の底面図である。
【図５９】図５６〜５８で示された組み立てられたフィルタ構成物の断面図である。
【図６０】図５５のフィルタ構成物で使用可能なフィルタエレメントの平面図である。
【図６１】図６０に示されたフィルタエレメントの断面図であって、図６０のライン６１-６１に沿って取られた断面図である。
【図６２】図６０と６１のフィルタエレメント中で使用される端部キャップ構造物の斜視図である。
【図６３】図６２に示された端部キャップ構造物の底面図である。
【図６４】図６１に示されたフィルタエレメントの部分６４〜６４の拡大断面図である。
【図６５】図６２と６３で示された端部キャップ構造物の断面図であり、図６３のライン６５-６５に沿って得られる図である。
【図６６】図６０と６１で示されたフィルタエレメントによって利用される１個の媒体と芯構造物の斜視図である。
【図６７】図６６の媒体断面と芯構造物の平面図である。
【図６８】図６０と６１のフィルタエレメントによって利用される芯構造物の斜視図である。
【図６９】図６８の芯構造物の別の斜視図である。
【図６９Ａ】図６８と６９で示された芯構造物の側面図である。
【図６９Ｂ】芯構造物の断面図であって、図６９ＡのラインＢ−Ｂに沿って取られた断面図である。
【図７０】内部コンポーネントを含むフィルタハウジングの断面図であり、図７２のライン７０-７０に沿って得られる図である。
【図７１】フィルタハウジングと内部のコンポーネントの断面図であり、図７２のライン７１〜７１に沿って得られる図である。
【図７２】図５５のフィルタ構成物の一部である内部のコンポーネントを含むフィルタハウジングの正面図である。
【図７３】本開示の原理に基づいて作られたフィルタ構成物の別の実施例の分解斜視図である。
【図７４】図７３で示された組み立てられたフィルタ構成物の正面図である。
【図７５】図７４で示されたフィルタ構成物の右側面図である。
【図７６】図７４と図７５で示されるフィルタ構成物の平面図である。
【図７７】図７４〜図７６に示されるフィルタ構成物の断面図であり、図７６のライン７７−７７に沿って得られる図である。
【図７８】図７４〜図７６で示されるフィルタ構成物の断面図であり、図７６のライン７８-７８に沿って得られる図である。
【図７９】図７４〜図７６で示されるフィルタ構成物の断面図であり、図７６のライン７９−７９に沿って得られる図である。
【図８０】図７４〜図７６で示されるフィルタ構成物の断面図であり、図７４のライン８０−８０に沿って得られる図である。
【図１】
2009525168.tif 000003
【図２】
2009525168.tif 000004
【図３】
2009525168.tif 000005
【図４】
2009525168.tif 000006
【図５】
2009525168.tif 000007
【図６】
2009525168.tif 000008
【図７】
2009525168.tif 000009
【図８】
2009525168.tif 000010
【図９】
2009525168.tif 000011
【図１０】
2009525168.tif 000012
【図１１】
2009525168.tif 000013
【図１２】
2009525168.tif 000014
【図１３】
2009525168.tif 000015
【図１４】
2009525168.tif 000016
【図１５】
2009525168.tif 000017
【図１６】
2009525168.tif 000018
【図１７】
2009525168.tif 000019
【図１８】
2009525168.tif 000020
【図１９】
2009525168.tif 000021
【図２０】
2009525168.tif 000022
【図２１】
2009525168.tif 000023
【図２２】
2009525168.tif 000024
【図２３】
2009525168.tif 000025
【図２４】
2009525168.tif 000026
【図２５】
2009525168.tif 000027
【図２６】
2009525168.tif 000028
【図２７】
2009525168.tif 000029
【図２８】
2009525168.tif 000030
【図２９】
2009525168.tif 000031
【図３０】
2009525168.tif 000032
【図３１】
2009525168.tif 000033
【図３２】
2009525168.tif 000034
【図３３】
2009525168.tif 000035
【図３４】
2009525168.tif 000036
【図３５】
2009525168.tif 000037
【図３６】
2009525168.tif 000038
【図３７】
2009525168.tif 000039
【図３８】
2009525168.tif 000040
【図３９】
2009525168.tif 000041
【図４０】
2009525168.tif 000042
【図４１】
2009525168.tif 000043
【図４１Ａ】
2009525168.tif 000044
【図４２】
2009525168.tif 000045
【図４３】
2009525168.tif 000046
【図４４】
2009525168.tif 000047
【図４５】
2009525168.tif 000048
【図４６】
2009525168.tif 000049
【図４７】
2009525168.tif 000050
【図４８】
2009525168.tif 000051
【図４９】
2009525168.tif 000052
【図５０】
2009525168.tif 000053
【図５１】
2009525168.tif 000054
【図５２】
2009525168.tif 000055
【図５３】
2009525168.tif 000056
【図５４】
2009525168.tif 000057
【図５５】
2009525168.tif 000058
【図５６】
2009525168.tif 000059
【図５７】
2009525168.tif 000060
【図５８】
2009525168.tif 000061
【図５９】
2009525168.tif 000062
【図６０】
2009525168.tif 000063
【図６１】
2009525168.tif 000064
【図６２】
2009525168.tif 000065
【図６３】
2009525168.tif 000066
【図６４】
2009525168.tif 000067
【図６５】
2009525168.tif 000068
【図６６】
2009525168.tif 000069
【図６７】
2009525168.tif 000070
【図６８】
2009525168.tif 000071
【図６９】
2009525168.tif 000072
【図６９Ａ】
2009525168.tif 000073
【図６９Ｂ】
2009525168.tif 000074
【図７０】
2009525168.tif 000075
【図７１】
2009525168.tif 000076
【図７２】
2009525168.tif 000077
【図７３】
2009525168.tif 000078
【図７４】
2009525168.tif 000079
【図７５】
2009525168.tif 000080
【図７６】
2009525168.tif 000081
【図７７】
2009525168.tif 000082
【図７８】
2009525168.tif 000083
【図７９】
2009525168.tif 000084
【図８０】
2009525168.tif 000085
【手続補正書】
【提出日】平成19年11月27日(2007.11.27)
【手続補正１】
【補正対象書類名】特許請求の範囲
【補正対象項目名】全文
【補正方法】変更
【補正の内容】
【特許請求の範囲】
【請求項１】
フィルタエレメント（４６、４６'、３４６、６４６、９０６）であって、
（ａ）開いているフィルタ内部（１３８，４３８，７３８）を定める管状形状部（１３７，４３７）を有する第１フィルタ媒体（１３６，４３６，７３６）を持った第１媒体構造物（４８、３４８、６４８、９０８）であって、前記第１フィルタ媒体を通過する半径方向の流体流れのために配置されている、前記第１フィルタ媒体構造物と、
（ｂ）前記第１フィルタ媒体構造物と一直線に並んで配置されている第２媒体構造物（５０、３５０、６５０、９１０）であって、第２フィルタ媒体（１５６，４５６，７５６）を有する前記第２媒体構造物と、
（ｃ）前記第１媒体構造物と前記第２媒体構造物との間の端部キャップ構造物（１５２、４５２、７５２）であって、（i）前記第２フィルタ媒体によって濾過された流体を運ぶために出口構成物（２０４，５０４，８０４）を含む、前記端部キャップ構造物と、
（ｄ）前記第２フィルタ媒体の入口端部（１５８，４５８，７５８）まで濾過された流体を運ぶために配置された、入口流体を運ぶ管状部材（１６４，４６４，７６４）と、
う有することを特徴とするフィルタエレメント。
【請求項２】
（ａ）前記端部キャップ構造物（１５２、４５２、７５２）は、前記第１媒体構造物と前記第２媒体構造物との間に軸方向に配置されていることを特徴とする請求項１に記載のフィルタエレメント。
【請求項３】
（ａ）前記第１フィルタ媒体を取り囲んで支持する外側ライナー（１４２、４４２、７４２）を更に有することを特徴とする請求項１または請求項２に記載のフィルタエレメント。
【請求項４】
（ａ）前記第１フィルタ媒体はひだ付き媒体を含み、
（ｂ）前記第２フィルタ媒体は軸方向流れのために配置されており、
（ｃ）前記第２媒体構造物の前記第媒体構造物と一直線に並んだ配置は、軸方向に一直線に配置されていることを特徴とする請求項１乃至請求項３のいずれか１項に記載のフィルタエレメント。
【請求項５】
（ａ）前記第１フィルタ媒体および前記第２フィルタ媒体を取り囲むシール部材（１８２、４８２、４８７、７８２、７８７）を更に有することを特徴とする請求項１に記載のフィルタエレメント。
【請求項６】
（ａ）前記シール部材は軸方向を圧縮するために配置されていることを特徴とする請求項５に記載のフィルタエレメント。
【請求項７】
（ａ）前記端部キャップ構造物（１５２、４５２、７５２）は、前記第１媒体構造物と前記第２媒体構造物の間に軸方向に配置されていることを特徴とする請求項５または請求項６に記載のフィルタエレメント。
【請求項８】
（ａ）前記端部キャップ構造物（４５２、７５２）は、１組のシール部材を保持する外側バンド（４８４）を含むことを特徴とする請求項７に記載のフィルタエレメント。
【請求項９】
（ａ）前記第２フィルタ媒体によって取り囲まれた芯構造物（１６２、４６２、７６２）を更に有し、前記芯構造物は、前記入口流体を運ぶ含む管状部材（１６４、４６４、７６４）を含むことを特徴とする請求項１に記載のフィルタエレメント。
【請求項１０】
（ａ）前記端部キャップ構造物（１５２、４５２、７５２）は、前記第１媒体構造物と前記第２媒体構造物との間に軸方向に配置されており、
（i）前記端部キャップ構造物は、前記芯構造物の前記入口流体を運ぶ管状部材（１６４、４６４、７６４）を収容する少なくとも１つのホール（２０２、５００、８００）を定め、
（ii）前記端部キャップ構造物の出口構成物（２０４，５０４，８０４）は、前記第２媒体構造物によってろ過された流体を運ぶために少なくとも１つの出口ホール（２０４、５０４、８０４）を含むことを特徴とする請求項９に記載のフィルタエレメント。
【請求項１１】
（ａ）前記芯構造物はボルトを受け入れる管状部材（１７２、４７２、７７２）を含むことを特徴とする請求項１０に記載のフィルタエレメント。
【請求項１２】
（ａ）前記端部キャップ構造物中の前記少なくとも１つの出口ホールは、平らな表面から突き出ている管（２０６、５０６、８０６）によって定められており、前記管は、シール部材（２０８、５０８、８０８）によって保持されかつ取り囲まれていることを特徴とする請求項１１に記載のフィルタエレメント。
【請求項１３】
（ａ）前記芯構造物（４６２、７６２）は、（i）前記入口流体を運ぶ管状部材および（ii）ボルトを受け入れる管状部材と連絡している開口を有する突き出したネック（４６６、７６６）を含み、
（i）前記ネックは、第１シール部材と第２シール部材とによって保持されて取り囲まれており、
（ii）前記ネックは、前記端部キャップ構造物のホール中に受け入れられており、前記ネックの前記第１シール部材は、前記端部キャップ構造物のホールの周辺で前記端部キャップ構造物とシールを形成し、
（iii）前記ネックの第２シール部材は、前記フィルタエレメントが前記フィルタハウジング中で操作可能に設置された場合に前記フィルタハウジングとシールを形成することを特徴とする請求項１１に記載のフィルタエレメント。
【請求項１４】
（ａ）前記芯構造物は、前記突き出したネックの軸方向部分から突き出しているプラグ部材（８５４）を更に含み、前記プラグ部材はシール部材（８５８）によって取り囲まれていることを特徴とする請求項１３に記載のフィルタエレメント。
【請求項１５】
（ａ）前記端部キャップ構造物（７５２）と対向する端部で前記第１媒体構造物に固定され、そこから軸方向に突き出る第１プラグ部材（８６０）を含む下部端部キャップ（７４８）を更に含むことを特徴とする請求項１０乃至請求項１４のいずれか１項に記載のフィルタエレメント。
【請求項１６】
（ａ）前記第１媒体構造物と前記第２媒体構造物とは、断面がそれぞれ非円形であることを特徴とする請求項１乃至請求項１５のいずれか１項に記載のフィルタエレメント。
【請求項１７】
（ａ）前記第１媒体構造物と前記第２媒体構造物とは、断面がそれぞれ丸くないことを特徴とする請求項１乃至請求項１６のいずれか１項に記載のフィルタエレメント。
【請求項１８】
フィルタ構成物（４０、４０'、３４０、６４０、９００）であって、
請求項１に記載のフィルタエレメントと、
（ａ）内部を定めるハウジング（４２、４２'、３４２、６４２、９０２）であって、前記フィルタエレメントが前記ハウジングの内部に取り外し可能に配置されている、前記ハウジングと、
（ｂ）前記フィルタエレメントに選択的なアクセスを提供するために前記ハウジング上に取り外し可能に配置されたカバー（４４、４４'、３４４、６４４、９０４）と、
を有することを特徴とするフィルタ構成物。
【請求項１９】
（ａ）前記ハウジングは、第１入口構成物（１２０、４２０、７２０）と、第１出口構成物（１２２、４２２、７２２）と、第２入口構成物（１２６、４２６、７２６）と、第２出口構成物（１３０、４３０、７３０）とを定め、
（i）前記第１入口構成物は、前記第１フィルタ媒体の上流側と流体流れで連絡しており、
（ii）前記第１出口構成物は、前記第１フィルタ媒体の下流側と流体流れで連絡しており、
（iii）前記第２入口構成物は、前記第２フィルタ媒体の上流側と流体流れで連絡しており、
（iv）前記第２出口構成物は、前記第２フィルタ媒体の下流側と流体流れで連絡していることを特徴とする請求項１８に記載のフィルタ構成物。
【請求項２０】
（ａ）前記ハウジングは、前記第１フィルタ媒体の上流側と液体連絡する排水構成物（６２、３６２）を更に定めることを特徴とする請求項１９に記載のフィルタ構成物。
【請求項２１】
（ａ）前記カバーは、前記カバーの内部に延びているボルトヘッド（１０６、４０６、７０６）を有し、前記ボルトは、前記ハウジングによって定められたネジ受け（１０４、４０４、７０４）によって受け入れられていることを特徴とする請求項１８乃至請求項２０のいずれか１項に記載のフィルタ構成物。
【請求項２２】
（ａ）前記ボルトは、前記カバーの外部からアクセス可能なボルトヘッド（１１０、４１０）を有し、
（ｂ）前記ボルトは、前記第２媒体構造物を通って前記ハウジング中のネジ受けまで延びていることを特徴とする請求項２１に記載のフィルタ構成物。
【請求項２３】
（ａ）前記フィルタエレメントは、前記第２フィルタ媒体によって取り囲まれた芯構造物（１６２、４６２、７６２）を含み、前記芯構造物は、前記第２入口構成物と流体連絡する前記入口流体を運ぶ管状部材（１６４、４６４、７６４）を含み、
（ｂ）前記第１フィルタ媒体はひだ付き媒体を含み、
（ｃ）前記第２フィルタ媒体は軸方向流れのために配置されており、
（ｄ）前記第２媒体構造物の前記第媒体構造物と一直線に並んだ配置は、軸方向に一直線に配置されていることを特徴とする請求項１８乃至請求項２２のいずれか１項に記載のフィルタ構成物。
【請求項２４】
（ａ）前記端部キャップ構造物（１５２、４５２、７５２）は、前記第１媒体構造物と前記第２媒体構造物との間で軸方向に配置されており、
（i）前記端部キャップ構造物は、前記芯構造物の前記入口流体を運ぶ管状部材（１６４、４６４、７６４）を収容する少なくとも１つのホール（２０２、５００、８００）を定め、
（ii）前記端部キャップ構造物の出口構成物（２０４，５０４，８０４）は、前記第２媒体構造物によってろ過された流体を運ぶために少なくとも１つの出口ホールを含むことを特徴とする請求項２３に記載のフィルタ構成物。
【請求項２５】
（ａ）前記芯構造物は、ボルトを受け入れる管状部材（１７２、４７２、７７２）を含み、
（ｂ）前記カバーは、前記カバーの内部に延びているボルト（１０６、４０６、７０６）を含み、前記ボルトは、前記ボルトを受け入れる管状部材を通って延びていて、前記ハウジングによって定められたネジ受けによって受け入れられることを特徴とする請求項２４に記載のフィルタ構成物。
【請求項２６】
（ａ）前記芯構造物は、（i）前記少なくとも１つの流体を運ぶ輸送管状部材および（ii）前記ボルトを受け入れる管状部材に連絡する、開口を有する突出したネック（４６６、７６６）を含んでおり、
（i）前記ネックは、第１シール部材と第２シール部材とによって保持されかつ取り囲まれており、
（ii）前記ネックは、前記端部キャップ構造物ホール中に受け入れられており、前記ネックの第１シール部材は、前記端部キャップ構造物ホールの周囲で前記端部キャップ構造物とシールを形成し、
前記ネックの第２シール部材は、前記ハウジングの前記第２入口構成物とシールを形成することを特徴とする請求項２５に記載のフィルタ構成物。
【請求項２７】
（ａ）前記芯構造物は、前記ネック（７６６）から軸方向に延びているプラグ部材（８５４）を更に含み、前記プラグ部材はシール部材（８５８）を含み、
（ｂ）前記ハウジングは、第２排水部材ポート（８５６）を定め、前記プラグ部材のシール部材は、前記第２排水部材ポートが解放可能なシールを形成することを特徴とする請求項２６に記載のフィルタ構成物。
【請求項２８】
（ａ）前記フィルタエレメントは、前記第１媒体構造物および前記第２媒体構造物を取り囲むシール部材構成物（１８２、４８２、４８７、７８２、７８７）を更に含んでいることを特徴とする請求項１８に記載のフィルタ構成物。
【請求項２９】
（ａ）前記シール部材構成物は、１組のシール部材（４８２、４８７、７８２、７８７）を含み、前記シール部材が前記ハウジングと前記カバーとの間で前記シール部材を圧縮することによって前記ハウジングとカバーと軸方向シールを形成するために配置されていることを特徴とする請求項２８に記載のフィルタ構成物。
【請求項３０】
（ａ）前記カバーは、前記カバーの内部に延びているボルト（１０６、４０６、７０６）を含み、前記ボルトは、前記ハウジングによって定められたネジ受けによって受け入れられており、
（ｂ）前記ボルトは前記カバーの外部から延びているヘッド（１１０、４１０）を有し、
（ｃ）前記ボルトは、前記第２媒体構造物を通って前記ハウジング中の前記ネジ受けまで延びており、
（ｄ）前記ボルトヘッドは、前記ボルトを回転して前記カバーと前記ハイジングとの間に閉じこめられた前記シール部材で前記ハウジングに対して前記カバーを締めつけるように、回転可能であることを特徴とする請求項２９に記載のフィルタ構成物。
【請求項３１】
（ａ）前記ハウジング中に燃料ポンプ（７４、３７４、６７４）を更に有し、前記第１フィルタ媒体は、前記燃料ポンプを取り囲むことを特徴とする請求項１８乃至請求項３０のいずれか１項に記載のフィルタ構成物。
【請求項３２】
フィルタシステムであって、
請求項１８に記載のフィルタエレメントを有し、
前記フィルタシステムは、
（ａ）燃料タンク（３２）と、
（ｂ）燃料噴射システム（３６）と、
（ｃ）燃料ポンプ構成物（２６）と、
（ｄ）フィルタ構成物と、を有し、
（i）前記燃料ポンプ構成物の少なくとも一部が前記ハウジング中にあり、前記第１フィルタ媒体が前記燃料ポンプ構成物を取り囲んでいることを特徴とするフィルタシステム。
【請求項３３】
（ａ）前記第１入口構成物は、前記燃料タンクと前記第１フィルタ媒体の上流側との間で流体流れが連絡しており、
（ｂ）前記第1出口構成物は、前記第１フィルタ媒体の下流側と前記燃料ポンプ構成物との間で流体流れが連絡しており、
（ｃ）前記第２入口構成物は、前記燃料ポンプ構成物と前記第２フィルタ媒体の上流側との間で流体流れが連絡しており、
（ｄ）前記第２出口構成物は、前記第２フィルタ媒体の下流側と前記燃料噴射システムとの間で流体流れが連絡していることを特徴とする請求項３２に記載のフィルタシステム。
【請求項３４】
フィルタ構成物（４０、４０'、３４０、６４０、９００）を整備する方法であって、
（ａ）ハウジング（４２、４２'、３４２、６４２、９０２）からカバー（４４、４４'、３４４、６４４、９０４）を取り外す工程と、
（ｂ）前記ハウジングからフィルタエレメント（４６、４６’、３４６、６４６、９０６）を取り外す工程と、
を有し、
前記フィルタエレメントが、
（i）開いているフィルタ内部を定める管状形状部を有する第１フィルタ媒体を持った第１媒体構造物（４８、３４８、６４８、９０８）であって、前記第１フィルタ媒体を通過する半径方向の流体流れのために配置されている、前記第１媒体構造物と、
（ii）前記第１媒体構造物と一直線に並んで配置されている第２媒体構造物（５０、３５０、６５０、９１０）であって、第２フィルタ媒体（１５６，４５６，７５６）を有する、前記第２媒体構造物と、
（iii）前記第１媒体構造物と前記第２媒体構造物との間の端部キャップ構造物（１５２，４５２，７５２）であって、
（Ａ）前記第２フィルタ媒体によって濾過された流体を運ぶための出口構成物（２０４，５０４，８０４）と、
（Ｂ）前記第２フィルタ媒体の入口端部（１５８，４５８，７５８）まで濾過された流体を運ぶために配置された、入口流体を運ぶ管状部材（１６４，４６４，７６４）とを含む、前記端部キャップ構造物と、
を含むことを特徴とする方法。
【請求項３５】
（ａ）前記カバーを取り外す工程は、前記カバーと前記ハウジングとの間の締め具を緩めるために、前記第２媒体構造物を通って前記ハウジング上のネジ受け（１０４、４０４、７０４）中に延びているボルト（１０６、４０６、７０６）を回転する工程を含むことを特徴とする請求項３４に記載の方法。
【請求項３６】
（ａ）前記カバーを取り外す工程は、前記カバーと前記ハウジングとの間の軸方向シールを緩める工程を含むことを特徴とする請求項３４または請求項３５に記載の方法。
【請求項３７】
（ａ）前記ハウジングから前記フィルタエレメントを取り外す工程は、前記第１媒体構造物をポンプ（７４、３７４、６６０）の周囲および入口管と出口管の周囲から取り外す工程を含んでいることを特徴とする請求項３４乃至請求項３６のいずれか１項に記載の方法。
【請求項３８】
（ａ）前記カバーを取り外す工程と前記ハウジングから前記フィルタエレメントを取り外す工程は、同時に実行されることを特徴とする請求項３４乃至請求項３７のいずれか１項に記載の方法。
【請求項３９】
（ａ）前記フィルタエレメントと前記カバーの間のラッチ構成物（５４０）を外す工程を更に有することを特徴とする請求項３８に記載の方法。
【請求項４０】
（ａ）カバー（４４、４４'、３４４、６４４）を取り外す工程は、前記ハウジング（４２、４２'、３４２、６４２）の上方から実行されることを特徴とする請求項３４乃至請求項３９のいずれか１項に記載の方法。
【請求項４１】
（ａ）カバー（９０４）を取り外す工程は、前記ハウジング（９０２）の下方から実行されることを特徴とする請求項３４乃至請求項３９のいずれか１項に記載の方法。
【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
フィルタエレメント（４６、４６'、３４６、６４６、９０６）であって、
（ａ）開いているフィルタ内部（１３８，４３８，７３８）を定める管状形状部（１３７，４３７）を有する第１フィルタ媒体（１３６，４３６，７３６）を持った第１媒体構造物（４８、３４８、６４８、９０８）であって、前記第１フィルタ媒体を通過する半径方向の流体流れのために配置されている、前記第１フィルタ媒体構造物と、
（ｂ）前記第１媒体構造物と一直線に並んで配置されている第２媒体構造物（５０、３５０、６５０、９１０）であって、第２フィルタ媒体（１５６，４５６，７５６）を有する前記第２媒体構造物と、
（ｃ）前記第１媒体構造物と前記第２媒体構造物との間の端部キャップ構造物（１５２、４５２、７５２）であって、（i）前記第２フィルタ媒体によって濾過された流体を運ぶために出口構成物（２０４，５０４，８０４）を含む、前記端部キャップ構造物と、
（ｄ）前記第２フィルタ媒体の入口端部（１５８，４５８，７５８）まで濾過された流体を運ぶために配置された、入口流体を運ぶ管状部材（１６４，４６４，７６４）と、
う有することを特徴とするフィルタエレメント。
【請求項２】
（ａ）前記端部キャップ構造物（１５２、４５２、７５２）は、前記第１媒体構造物と前記第２媒体構造物との間に軸方向に配置されていることを特徴とする請求項１に記載のフィルタエレメント。
【請求項３】
（ａ）前記第１フィルタ媒体はひだ付き媒体を含み、
（ｂ）前記第２フィルタ媒体は軸方向流れのために配置されており、
（ｃ）前記第２媒体構造物の前記第１媒体構造物に一直線に並んだ配置は、軸方向に一直線に並んで配置されていることを特徴とする請求項１に記載のフィルタエレメント。
【請求項４】
（ａ）前記第１フィルタ媒体および前記第２フィルタ媒体を取り囲むシール部材（１８２、４８２、４８７、７８２、７８７）を更に有することを特徴とする請求項１に記載のフィルタエレメント。
【請求項５】
（ａ）前記第２フィルタ媒体によって取り囲まれた芯構造物（１６２、４６２、７６２）を更に有し、前記芯構造物は、前記入口流体を運ぶ含む管状部材（１６４、４６４、７６４）を含むことを特徴とする請求項１に記載のフィルタエレメント。
【請求項６】
（ａ）前記第１媒体構造物と前記第２媒体構造物とは、断面がそれぞれ非円形であることを特徴とする請求項１に記載のフィルタエレメント。
【請求項７】
フィルタ構成物（４０、４０'、３４０、６４０、９００）であって、
請求項１に記載のフィルタエレメントと、
（ａ）内部を定めるハウジング（４２、４２'、３４２、６４２、９０２）であって、前記フィルタエレメントが前記ハウジングの内部に取り外し可能に配置されている、前記ハウジングと、
（ｂ）前記フィルタエレメントに選択的なアクセスを提供するために前記ハウジング上に取り外し可能に配置されたカバー（４４、４４'、３４４、６４４、９０４）と、
を有することを特徴とするフィルタ構成物。
【請求項８】
（ａ）前記ハウジングは、第１入口構成物（１２０、４２０、７２０）と、第１出口構成物（１２２、４２２、７２２）と、第２入口構成物（１２６、４２６、７２６）と、第２出口構成物（１３０、４３０、７３０）とを定め、
（i）前記第１入口構成物は、前記第１フィルタ媒体の上流側と流体流れで連絡しており、
（ii）前記第１出口構成物は、前記第１フィルタ媒体の下流側と流体流れで連絡しており、
（iii）前記第２入口構成物は、前記第２フィルタ媒体の上流側と流体流れで連絡しており、
（iv）前記第２出口構成物は、前記第２フィルタ媒体の下流側と流体流れで連絡していることを特徴とする請求項７に記載のフィルタ構成物。
【請求項９】
（ａ）前記ハウジングは前記第１フィルタ媒体の上流側で液体連絡している排水構成物（６２，３６２）を更に定め、
（ｂ）前記カバーは、前記カバーの内部に延びているボルト（１０６、４０６、７０６）を含み、前記ボルトは、前記ハウジングによって定められたネジ受け（１０４，４０４，７０４）によって受け入れられており、
（ｃ）前記ボルトは前記カバーの外部からアクセス可能なボルトヘッド（１１０、４１０）を有し、
（ｄ）前記ボルトは、前記第２媒体構造物を通って前記ハウジング中の前記ネジ受けまで延びている、ことを特徴とする請求項８に記載のフィルタ構成物。
【請求項１０】
フィルタシステムであって、
請求項７に記載のフィルタエレメントを有し、
前記フィルタシステムは、
（ａ）燃料タンク（３２）と、
（ｂ）燃料噴射システム（３６）と、
（ｃ）燃料ポンプ構成物（２６）と、
（ｄ）フィルタ構成物と、を有し、
（i）前記燃料ポンプ構成物の少なくとも一部が前記ハウジング中にあり、前記第１フィルタ媒体が前記燃料ポンプ構成物を取り囲んでいることを特徴とするフィルタシステム。
【請求項１１】
（ａ）前記第１入口構成物は、前記燃料タンクと前記第１フィルタ媒体の上流側との間で流体流れが連絡しており、
（ｂ）前記第1出口構成物は、前記第１フィルタ媒体の下流側と前記燃料ポンプ構成物との間で流体流れが連絡しており、
（ｃ）前記第２入口構成物は、前記燃料ポンプ構成物と前記第２フィルタ媒体の上流側との間で流体流れが連絡しており、
（ｄ）前記第２出口構成物は、前記第２フィルタ媒体の下流側と前記燃料噴射システムとの間で流体流れが連絡していることを特徴とする請求項１０に記載のフィルタシステム。
【請求項１２】
フィルタ構成物（４０、４０'、３４０、６４０、９００）を整備する方法であって、
（ａ）ハウジング（４２、４２'、３４２、６４２、９０２）からカバー（４４、４４'、３４４、６４４、９０４）を取り外す工程と、
（ｂ）前記ハウジングからフィルタエレメント（４６、４６’、３４６、６４６、９０６）を取り外す工程と、
を有し、
前記フィルタエレメントが、
（i）開いているフィルタ内部を定める管状形状部を有する第１フィルタ媒体を持った第１媒体構造物（４８、３４８、６４８、９０８）であって、前記第１フィルタ媒体を通過する半径方向の流体流れのために配置されている、前記第１媒体構造物と、
（ii）前記第１媒体構造物と一直線に並んで配置されている第２媒体構造物（５０、３５０、６５０、９１０）であって、第２フィルタ媒体（１５６，４５６，７５６）を有する、前記第２媒体構造物と、
（iii）前記第１媒体構造物と前記第２媒体構造物との間の端部キャップ構造物（１５２，４５２，７５２）であって、
（Ａ）前記第２フィルタ媒体によって濾過された流体を運ぶための出口構成物（２０４，５０４，８０４）と、
（Ｂ）前記第２フィルタ媒体の入口端部（１５８，４５８，７５８）まで濾過された流体を運ぶために配置された、入口流体を運ぶ管状部材（１６４，４６４，７６４）とを含む、前記端部キャップ構造物と、
を含むことを特徴とする方法。
【国際調査報告】
2009525168.tif 000086
2009525168.tif 000087
2009525168.tif 000088